(57)【要約】  主ラップ及び／又は副ラップ内に少なくとも１つのブラダを有するブラダアセンブリを含む、肢部又は他の身体部分に圧力を提供するための治療用圧迫装置。主ラップは、ブラダ内に一定又は可変のいずれかの圧力を提供する膨張手段と接続するための膨張ポートを含み、逆止弁が、膨張ポート及び／又は膨張手段内に含まれている。
2019526339.tif 000002
【特許請求の範囲】
【請求項１】
治療用圧迫装置であって、
近位端及び遠位端及び主ラップを有する主ラップと、
近位端及び遠位端を有する副ラップであって、前記副ラップの前記近位端が、前記主ラップの前記遠位端に接続されている、副ラップと、
前記主ラップ及び／又は前記副ラップ内の少なくとも１つのブラダと、
前記主ラップ上の膨張ポートを介して前記ブラダに接続された膨張手段であって、逆止弁を含む、膨張手段と、を備え、
前記膨張ポートが、様々な膨張手段に汎用的に接続可能であるように構成されている、治療用圧迫装置。
【請求項２】
前記主ラップが、（ａ）使用時に肢部に面して配置されるように構成及び適合された内側シートと、（ｂ）外側シートであって、前記内側シートと前記外側シートとの間に画定された前記ブラダと一緒に前記内側シートに接合された、外側シートと、を含む、請求項１に記載の治療用圧迫装置。
【請求項３】
前記膨張手段が、手動ポンプ、静的ポンプ、間欠ポンプ、電気式膨張ポンプ、電池式膨張ポンプ、ガソリン式膨張ポンプ、静的空気圧圧縮ポンプ、間欠空気圧ポンプ、及びこれらの組み合わせからなる群から選択される、請求項１に記載の治療用圧迫装置。
【請求項４】
前記少なくとも１つのブラダが、前記膨張手段に接続されたときに連続的な勾配圧力を可能にする１つのチャンバを有するように構成されている、請求項１に記載の治療用圧迫装置。
【請求項５】
前記膨張手段が、前記少なくとも１つのブラダ内で前記ブラダの膨張した状態を作り出す前記膨張手段により作り出された圧力を保持することを可能にし、前記少なくとも１つのブラダ内で前記ブラダの部分的に収縮した状態を作り出す設定された圧力量を解放することを可能にし、前記少なくとも１つのブラダ内で前記ブラダの完全に収縮した状態を作り出すようにすべての圧力を解放することを可能にするように構成された三路スイッチを含む、請求項１に記載の治療用圧迫装置。
【請求項６】
前記膨張手段が、リアルタイム圧力測定機構を含む、請求項１に記載の治療用圧迫装置。
【請求項７】
面コネクタと、逆止弁と、弁帽とを更に備え、前記弁帽が、前記少なくとも１つのブラダ内の前記膨張手段によって作り出された圧力を解放することができる、請求項１に記載の治療用圧迫装置。
【請求項８】
過膨張から保護するように、前記少なくとも１つのブラダに動作可能に接続された逆止弁を更に備える、請求項１に記載の治療用圧迫装置。
【請求項９】
前記逆止弁が、所定の圧力で開放するように設定されている、請求項８に記載の治療用圧迫装置。
【請求項１０】
前記逆止弁が、使用者選択可能な圧力において開放するように構成されている、請求項８に記載の治療用圧迫装置。
【請求項１１】
収縮のために前記主ブラダに動作可能に接続された通気弁を更に備える、請求項８に記載の治療用圧迫装置。
【請求項１２】
前記主ラップの前記近位端、又は前記副ラップの前記遠位端のいずれかに接続された少なくとも２つのタブを更に備え、前記タブが、平面に沿って少なくとも２つの治療用圧迫装置を一緒に接続することができるように構成された接続手段を含む、請求項１に記載の治療用圧迫装置。
【請求項１３】
治療用圧迫装置であって、
遠位端及び近位端を有する主ラップであって、少なくとも１つのブラダを含む、主ラップと、
近位端及び遠位端を有する副ラップであって、前記副ラップの前記近位端が、前記主ラップの前記遠位端に接続されている、副ラップと、
前記ブラダ上の膨張ポートを介して前記ブラダに接続された膨張手段であって、前記膨張ポートが、逆止弁を含む、膨張手段と、
アセンブリであって、ａ）肢部の周囲に取り付けるための可撓性部材と、第１の減圧状態及び第２の加圧状態をとる空気チャンバであって、前記空気チャンバが、長さ及び幅を有し、前記幅が、前記可撓性部材の前記幅の半分未満である、空気チャンバと、を有する圧力機構と、ｂ）前記空気チャンバの前記幅よりも小さい長さ及び幅を有する予充填空気ブラダと、ｃ）前記予充填空気ブラダに結合された吸収性発泡体、スポンジ、又はドレッシング材と、ｄ）前記吸収性発泡体、スポンジ、又はドレッシング材と流体連通し、負圧源と結合するように適合された吸引導管と、を含む、アセンブリと、を備える、治療用圧迫装置。
【請求項１４】
前記アセンブリの予充填空気ブラダ、前記吸収性発泡体、スポンジ若しくはドレッシング材、及び前記吸引導管が、前記吸収性発泡体、スポンジ若しくはドレッシング材と、前記予充填空気ブラダとの間に配置された前記吸引導管と共にユニットとして一緒に接着されている、請求項１３に記載の治療用圧迫装置。
【請求項１５】
前記アセンブリの吸引導管は、流体コネクタ内で一端が終端する、請求項１３に記載の治療用圧迫装置。
【請求項１６】
前記アセンブリの吸引導管は、複数の孔を有する分岐管内で一端が終端する、請求項１３に記載の治療用圧迫装置。
【請求項１７】
前記アセンブリの分岐管が、前記吸収性発泡体、スポンジ、又はドレッシング材の周辺部の周囲に少なくとも部分的に延在する、請求項１３に記載の治療用圧迫装置。
【請求項１８】
前記アセンブリの予充填空気ブラダが、中央開口部を画定し、前記吸引導管が、前記中央開口部中に延在する、請求項１３に記載の治療用圧迫装置。
【請求項１９】
前記アセンブリの予充填空気ブラダが、ストラップを有し、前記吸収性発泡体、スポンジ又はドレッシング材が、封止された周縁を有する、請求項１３に記載の治療用圧迫装置。
【請求項２０】
前記アセンブリの予充填空気ブラダが、生体適合性接着剤を設けた周辺部を有する、請求項１３に記載の治療用圧迫装置。
【請求項２１】
創傷又は潰瘍を有する肢部を治療するための方法であって、
ａ）アセンブリを含む治療用圧迫装置を得ることであって、前記アセンブリが、（ｉ）肢部の周囲に取り付けるための可撓性部材、並びに第１の減圧状態及び第２の加圧状態をとる空気チャンバを有する圧力機構と、（ｉｉ）予充填空気ブラダと、（ｉｉｉ）前記予充填空気ブラダに結合された吸収性発泡体、スポンジ、又はドレッシング材と、（ｉｖ）前記吸収性発泡体、スポンジ、又はドレッシング材と流体連通する吸引導管と、を含む、得ることと、
ｂ）前記吸収性発泡体、スポンジ、又はドレッシング材を、前記創傷又は潰瘍に適用し、前記予充填空気ブラダをその上に配置することと、
ｃ）前記空気チャンバを前記予充填空気ブラダ上に配置して、前記肢部上に前記圧力機構を配置することと、
ｄ）前記吸引導管を負圧源に結合させることと、
ｅ）前記空気チャンバが、前記第２の加圧状態をとり、前記創傷又は潰瘍に圧力を加えるようにすることと、を含む、方法。
【請求項２２】
前記第２の加圧状態が、前記吸引が適用されると同時に引き起こされる、請求項２１に記載の方法。
【請求項２３】
前記第２の加圧状態、及び前記吸引の前記負圧源との結合が、異なる時間に得られる、請求項２１に記載の方法。
【請求項２４】
前記吸引は、圧力閾値に到達したときに、適用される、請求項２１に記載の方法。
【請求項２５】
前記予充填空気ブラダが、ストラップを有し、前記方法が、前記予充填空気ブラダを前記肢部にストラップで縛ることを更に含む、請求項２１に記載の方法。
【請求項２６】
圧力を人体の脚部に加えるための治療用圧迫装置であって、
膨張によって内部に入る流体を収容する第１の膨張可能なチャンバを有する足部ブラダと、
膨張によって内部に入る前記流体を収容する第２の膨張可能なチャンバを有する脚部ブラダと、
前記脚部ブラダを前記人体の前記脚部上に配置するための第１の手段と、
前記足部ブラダを前記人体の足部上に配置するための第２の手段と、
前記足部ブラダ及び前記脚部ブラダを流体的に結合する流体導管であって、流体が、前記流体導管を通って前記足部ブラダから前記脚部ブラダに、かつ前記流体導管を通って前記脚部ブラダから前記足部ブラダに移動することができるようになっている、流体導管と、
前記脚部ブラダ上の膨張ポートを介して前記脚部ブラダに接続された膨張手段であって、逆止弁を含む、膨張手段と、を備え、
前記膨張ポートが、様々な膨張手段に汎用的に接続可能であるように構成されている、治療用圧迫装置。
【請求項２７】
前記第１の配置手段が、前記脚部ブラダを前記脚部に固定するように前記脚部の周囲に巻き付ける第１の取り付け部材である、請求項２６に記載の治療用圧迫装置。
【請求項２８】
前記第１の取り付け部材が、前記脚部ブラダに取り付けられた複数のストラップである、請求項２７に記載の治療用圧迫装置。
【請求項２９】
前記第１の取り付け部材が、前記脚部の周囲、及び前記脚部ブラダの上に巻き付ける可撓性部材であり、前記脚部ブラダが、前記脚部と前記可撓性部材との間に挟まれている、請求項２７に記載の治療用圧迫装置。
【請求項３０】
前記第２の配置手段が、前記流体足部ブラダを前記足部に固定するように前記足部の周囲に巻き付ける第２の取り付け部材である、請求項２６に記載の治療用圧迫装置。
【請求項３１】
前記第２の取り付け部材が、前記足部ブラダに取り付けられた複数のストラップである、請求項２６に記載の治療用圧迫装置。
【請求項３２】
前記複数のストラップが、前記ストラップを前記足部に取り付けるための接着剤又は面止め具を有する、請求項３１に記載の装置。
【請求項３３】
前記足部ブラダが、前記足部のかかとの底部に取り付けられている、請求項２６に記載の治療用圧迫装置。
【請求項３４】
前記第１の取り付け部材が、副空気ブラダを含み、前記可撓性部材が、前記脚部の周囲に巻き付ける包囲構成、及び開放された非巻き付け構成を有し、前記副空気ブラダが、前記包囲構成において前記可撓性部材によって支持され、前記副空気ブラダは、前記包囲構成において前記可撓性部材によって支持されたときに圧迫力を前記脚部に加えるように、半径方向の内側に向けられる圧迫力を供給する加圧状態へと膨張することが可能である、請求項２６に記載の治療用圧迫装置。
【請求項３５】
前記流体が、空気、気体、又は液体のいずれかである、請求項２６に記載の治療用圧迫装置。
【請求項３６】
前記足部ブラダ及び前記脚部ブラダは、前記流体が前記足部ブラダから押し出されるときに、前記脚部ブラダが前記足部に追加の圧力を加えるように配列されている、請求項２６に記載の治療用圧迫装置。
【請求項３７】
前記追加の圧力が、１０〜２０ｍｍＨｇの追加の圧力である、請求項３６に記載の治療用圧迫装置。
【請求項３８】
前記脚部ブラダが、第１の状態で前記脚部に３０〜４０ｍｍＨｇの圧力を加え、流体が前記足部ブラダから押し出されるときに、前記脚部に５０〜６０ｍｍＨｇの圧力を加える、請求項３７に記載の治療用圧迫装置。
【請求項３９】
前記流体導管が、第１の端部及び第２の端部を有し、前記脚部ブラダ及び前記足部ブラダの各々が、前記流体導管の前記第１及び第２の端部のうちの一方を受容するためのノズルを有する、請求項２６に記載の治療用圧迫装置。
【請求項４０】
前記膨張手段が、手動ポンプ、静的ポンプ、間欠ポンプ、電気式膨張ポンプ、電池式膨張ポンプ、ガソリン式膨張ポンプ、静的空気圧圧縮ポンプ、間欠空気圧ポンプ、及びそれらの組み合わせからなる群から選択される、請求項２６に記載の治療用圧迫装置。
【請求項４１】
主及び副ブラダが、前記膨張手段に接続されるときに連続的な勾配圧力を可能にする１つのチャンバを有するように構成されている、請求項２６に記載の治療用圧迫装置。
【請求項４２】
面コネクタと、逆止弁と、弁帽とを更に備え、前記弁帽が、前記主及び副ブラダ内の前記膨張手段によって作り出された圧力を解放することができる、請求項２６に記載の治療用圧迫装置。
【請求項４３】
過膨張から保護するように、前記主ブラダに動作可能に接続された逆止弁を更に備える、請求項２６に記載の治療用圧迫装置。
【請求項４４】
前記逆止弁が、所定の圧力で開放するように設定されている、請求項４３に記載の治療用圧迫装置。
【請求項４５】
前記逆止弁が、使用者選択可能な圧力において開放するように構成されている、請求項４３に記載の治療用圧迫装置。
【請求項４６】
収縮のために前記主ブラダに動作可能に接続された通気弁を更に備える、請求項２６に記載の治療用圧迫装置。
【請求項４７】
圧力を人体の一部に加えるための方法であって、
足部ラップを足部の底部に、かつ脚部ラップを脚部に貼り付けることであって、前記足部ラップ及び前記脚部ラップが、流体導管によって流体的に結合されている、貼り付けることと、
足部のかかとが地面に打ち当たると、前記足部ラップがへこみ、流体を前記足部ラップから外へ前記流体導管を通って前記脚部ラップ中に強制的に押し出すことによって、前記脚部ラップ内の前記圧力を上昇させるように歩行することであって、前記足部の前記かかとが引き上げられると、前記足部ラップは、流体が前記脚部ラップから外へ前記流体導管を通って前記足部ラップ中に強制的に押し出されるにつれて膨張する、歩行することと、を含む、方法。
【請求項４８】
前記足部ラップが、前記足部ラップを前記足部に取り付けるための複数のストラップを含む、請求項４７に記載の方法。
【請求項４９】
前記脚部ラップが、第１のノズルを含み、前記足部ラップが、第２のノズルを含み、前記貼り付けることが、前記流体導管を前記第１及び第２のノズルに取り付けることを更に含む、請求項４７に記載の方法。
【発明の詳細な説明】
【技術分野】
【０００１】
（関連出願）
本出願は、２００１６年８月２３日に出願された仮出願第６２／３７８，５８１号からの優先権、及び同時係属出願からの優先権を主張し、このＰＣＴ出願は、２０１０年８月１２日に出願され、かつ特許第９，０３３，９０６号として発行された「Ｔｈｅｒａｐｅｕｔｉｃ  Ｃｏｍｐｒｅｓｓｉｏｎ  Ａｐｐａｒａｔｕｓ」と題する米国特許出願第１２／８５５，１８５号の分割である米国特許出願第１３／４４４，６００号の一部継続出願であり、その内容全体が、あらゆる目的のために参照により本明細書に組み込まれる。
【０００２】
（発明の背景）
本対象発明は、一般に、肢部に圧迫を加えるためのデバイスに関し、より詳細には、慢性静脈不全及びリンパ浮腫などの状態の治療と併せて個人の脚部に圧迫を加えるための治療用装置に関する。本装置は、患者の下腿及び足部などの肢部に圧迫を加えることができる装置を有するブラダ、及びブラダのための膨張手段を有するラップを含む。
【背景技術】
【０００３】
通常、健康な脚筋は、例えば、脚部及び足部の深部静脈を圧搾すると、血液を心臓に戻すのを助ける。深部脚部静脈内の一方向弁は、血液の心臓へ向かう環流を維持する。しかしながら、立っている又は座っている長時間は、深部脚部静脈の壁の伸張を引き起こし得る。時間の経過に伴い、抵抗力のない個々人において、これは、静脈壁を脆弱にし、弁に損傷を与え、血液を静脈内に滞留させ、静脈の血圧を上昇させ得る。これは、慢性静脈不全（chronic venous insufficiency、ＣＶＩ）として知られる状態をもたらす。
【０００４】
ＣＶＩの治療は、典型的には、慢性腫脹を減少させるための圧迫ストッキング又は医療用靴下の使用を必要とする。圧迫ストッキングは、静脈を圧搾して静脈の血行を改善し、過剰な血液が後方に流れるのを防止する弾性ストッキングである。また、圧迫ストッキングは、ＣＶＩと併せて多くの場合に現れる皮膚潰瘍又は鬱血性潰瘍を治すのにも役立ち得る。また、圧迫ストッキングは、共通して、脚部に圧力を加えるための圧迫包帯も用いる。この関連で、包帯は、一定の張力が加えられ、足首において最も高い圧力を伴う段階的な圧迫を生成する。しかしながら、その技術は難しく、多くの場合、高度に熟練した介護人によって行われる。
【０００５】
極めて有効な機械的圧迫デバイスもまた、ＣＶＩを治療するために開発され、例えば、米国特許第７，２７６，０３７号及び同第７，５５９，９０８号に開示されており、それらの開示全体が、参照によって本明細書に組み込まれる。これらのデバイスは、手動で膨張可能な空気ブラダを担持する可撓性ラップを含み、局所化された圧力を治療部位に加えるために、個人の脚部の周囲に固定して配置されるように適合されている。このデバイスはまた、流体が充填された創傷ドレッシング材も含み、その創傷ドレッシング材は、局所化された圧力を加えるために皮膚に直接適用され、更には、創傷ドレッシング材が可撓性ラップによって包まれたときに、薬剤を静脈潰瘍に適用することができる。このデバイスは、局所化された圧迫を脚部に加えるためには有効であるが、腫脹を防止し、かつ静脈の血行を更に改善するために、局所化された圧迫を足部に加えるようには構成されていない。
【０００６】
リンパ浮腫はまた、リンパ管閉塞としても知られ、局所化された流体の滞留、及び組織の腫脹の別の状態であり、易感染性リンパ系によって引き起こされる。リンパ浮腫の治療は、浮腫の重症度、及び罹患した肢部の線維症の程度に応じて変わる。リンパ浮腫に対する最も一般的な治療は、手先による圧迫リンパマッサージ、圧迫被服、又は包帯法である。弾性圧迫被服は、典型的には、浮腫低減を維持するように完璧な鬱血緩和効果のある治療に続いて、罹患した肢部上にリンパ浮腫を有する人によって着用される。
【０００７】
圧迫包帯法は、また、ラッピングとも呼ばれ、いくつかの層の詰め物、及び短伸縮性包帯を疾患部に適用する必要がある。短伸縮性包帯は、長伸張性包帯（通常、捻挫を治療するのに用いられるものなど）の上に位置することが好ましく、その理由は、長伸張性包帯が、リンパ浮腫を安全に低減するのに必要となる適度な治療張力を生成することができず、実際には、止血帯効果の向上をもたらすことができないからである。活動中、運動活動又は日々の活動であろうとなかろうと、短伸縮性包帯は、それらが押し当てる反発を増大させることによって、リンパ管の圧送作用を高める。これは、リンパ液の流れを促進し、流体膨張領域を軟化させるのに役立つ。
【０００８】
圧迫包帯法のように、ＣＶＩ及びリンパ浮腫治療のための既知の方法は、いくつかの欠点を有する。包帯法は、時間がかかり、その有効性は、提供者の技量によって限定される。いくつかの事例では、包帯は、あまりにきつく、又はあまりにゆるく適用されることがあり、それらの意図された位置から滑ってはずれ、それらの有効性を低下させる可能性がある。これが生じると、包帯をはずし、再適用しなければならず、適用時間を更に長引かせ、かつ治療適用の一貫性を損なうことになる。
【０００９】
現在の多くの圧迫治療の有効性は、現在の製品の適用によって制限されている。現在の圧迫治療は、人手によるラップ又は電気機械システムのいずれかで行われるため、それらの圧迫治療は、熟練した医療行列が適用する必要があるか、かつ／又は患者が延長された時間帯の間じっとしている必要があるかのいずれかである。ストッキング及び／又は包帯は、患者によって着用され、かつ自己管理され得るが、彼らが身に付け、経験の浅い医療専門家が一貫して有効に当てはまる問題を提起することは、非常に困難である。
【００１０】
更に、ＣＶＩ及びリンパ浮腫のための現在の多くの治療選択肢は、現在の既知のデバイス、装置、包帯、ストッキング、靴下等の使用を含めて、静脈性潰瘍を引き起こす。静脈性潰瘍とは、足首上部の皮膚の損傷及び消失であり、それは、脚部内の静脈に関連する問題の結果である。静脈性潰瘍は、典型的には、下腿の側部、足首の上部、及びふくらはぎの下部のいずれかで発症する。それらは、治癒することが困難であり、多くの場合、再発する。
【００１１】
脚部の静脈は、筋膜に対するそれらの位置に応じて、表在系及び深部系に区分される。深部静脈は、一体となって膝窩静脈及び大腿静脈を形成し、筋膜内に位置し、脚部筋肉からの静脈還流の役割を担う。幅広の無弁洞様血管もまた、筋膜内（より具体的には、ヒラメ筋及び腓腹筋内）に位置する。この洞様血管は、脚部が安静時にあるときは、血液で満たされている。
【００１２】
足部から股間まで脚部の内側に沿って延びる大伏在静脈、及び足部から膝までふくらはぎの後部において延びる小伏在静脈は、表在静脈系の主要血管である。これらの血管は、筋膜の外側に位置し、表皮及び皮下脂肪からの静脈環流の役割を担う。
【００１３】
交通静脈は、深部筋膜に孔を開けるため、場合によっては、穿通枝と呼ばれ、２つの系をつなぐ。穿通枝は、脚部内の他の静脈と同様に、外側、又は表在系から深部静脈に内側へ、１つの方向のみに血液を流すことを可能にする弁を含む。
【００１４】
仰臥位で横たわっている被験者の足首における静脈圧は、約１０ｍｍＨｇであるが、立位の場合、この静脈圧は、静水圧（測定点から心臓の右心耳までの血液の垂直柱の重量と同等である）の増加により大幅に上昇するであろう。
【００１５】
歩行中、足部は背部に屈曲されるため、腓筋の収縮は、深部静脈及びヒラメ洞を圧迫し、それによってそれらから血液を空にする。足部が足底で屈曲されると、静脈内の圧力が下がり、近位側弁が閉まり、そして静脈は、表在系から穿通枝を通過する血液によって再度充填される。このサイクルの間、正常な脚部では、深部静脈の遠位側弁、及び穿通枝の弁は、放出された血液が上方の一方向のみに移動し得、心臓への環流を確実にすることになる。
【００１６】
静脈系に対する閉塞又は損傷は、正常な血流に対する乱れを引き起こし、その乱れ自体が、損傷の部位及び程度に応じて多くの様々な仕方で顕在化し得る。表在系内の弁が罹患した場合、静脈還流が損なわれ、食物が静脈内に蓄積し、弁が膨らみ、静脈瘤様腫脹（異常に膨らんだ静脈）の形成をもたらし得る。
【００１７】
穿通枝弁の機能が損なわれた場合、腓筋ポンプの作用により、血液が逆方向に、すなわち表在系中に流れ込む傾向があり、表在血管に損傷を与える可能性を増加させることになる。
【００１８】
深部静脈の完全な又は部分的な閉塞をもたらす深部静脈血栓症の後に続いて、穿通枝弁上の腓筋ポンプにより生み出される変化のない圧力により、これらの表在血管が機能不全になり得る。これが起こる場合、表在系内の圧力に大きな上昇が生じ、毛細血管から外へ、そして周辺組織中へタンパク質及び赤血球を押し出し得る。ここで、赤血球は、分解して、皮膚の染色、すなわち、起こり得る潰瘍形成の先行指標を生じさせる赤色顔料を解放する。
【００１９】
静脈脚部潰瘍は、通常、表層的であり、色は赤色である。潰瘍の周囲の皮膚は、多くの場合、前述した染色により変色している。また、機能不全となった穿通静脈弁は、果小静脈を拡張させ、足首の周囲に細かい赤色の細線として現れるようにすることもできる。この状態は、足首炎と呼ばれ、また、静脈潰瘍の兆候でもある。
【００２０】
動脈は、心臓から身体のその他の部分に、酸素補給された血液を輸送する。静脈は、酸素を使い果たした血液を心臓に戻す。身体の下肢内の静脈が、血液を心臓へ戻すのに困難を生じる場合、慢性静脈不全（ＣＶＩ）と呼ばれ、また慢性静脈疾患（chronic venous disease、ＣＶＤ）として知られる症状が発症し、ＣＶＩは、通常、脚部の深部静脈における血液の凝血塊の結果として起こり、深部静脈血栓症（deep vein thrombosis、ＤＶＴ）として知られる疾患である。また、ＣＶＩは、骨盤腫瘍及び血管奇形からも起こり、場合によっては、原因不明で起こる。人が立っていたり座っていたりしているとき、脚部の静脈内の血液は、上向きに流れる。人が歩行しているとき、腓筋、及び足部内の筋肉は、静脈を圧搾するように収縮し、血液を上方へ押し出す。血液を上方へ流し続け、かつそれが下方へ流れるのを防止するために、静脈は、一方向弁を収容する。これらの弁が損傷を受け、血液が逆方向の下方に逆流するときに、ＣＶＩが起こる。このような弁損傷は、加齢、長時間座っていること若しくは立っていること、又は加齢及び移動性低下の組み合わせの結果として起こり得る。静脈及び弁が衰弱し、血液が心臓まで適切に流れない場合、下肢内の静脈における血圧は、長期間にわたって高い状態が続き、ＣＶＩにつながる。この状態は、高齢者にはより共通しており、適切に治療がされない場合、毛細血管破裂、局所的組織炎症、内部組織損傷、静脈瘤、潰瘍、及び皮膚の表面上の開傷口につながる可能性がある。
【００２１】
ＣＶＩは、静脈系の容量を減少させ、罹患した領域内のリンパ系の負担を増加させ得る。次いで、リンパ系は、より大量の水及びタンパク質を輸送し、脚部の罹患した組織内の流体負荷を低減する必要があり、リンパ浮腫、静脈瘤、及び他の下肢病変を有する患者にとって特に困難な状況である。
【００２２】
上述の下肢病変を防止又は治療するのを助けるためにしばしば使用される１つの非外科的選択肢は、圧迫ストッキングの使用である。圧迫ストッキングは、脚部疲労、足首及び足部の腫脹、クモ状静脈、及び静脈瘤を防止するのを助ける。それらは、特に常習的な運動、及び脚部の下肢挙上と併用して使用される場合、脚部内の血行を改善する。圧迫ストッキングは、通常の歩行を可能にしながら、脚部上の圧力を維持する。皮膚の下の組織内における圧力を増加させることは、毛細血管からの流体の超過漏洩を低減し、毛細血管及びリンパ管による組織液の吸収を増大させる。更に、増大した圧力は、静脈の大きさを減少させ、このことにより、血液がより速く流れ、血液の貯留を防止するのを助ける。
【００２３】
圧迫ストッキングの気密性は、典型的には、１５〜５０分ＨＧの間で変化する。所与のストッキングの気密性は、その固有の構成及びクラスによって異なる。例えば、１５〜２０分ＨＧの圧迫圧力を有するストッキングは、軽い圧迫ストッキングと考えられる。クラス−１のストッキングは、２０〜３０ｍｍＨｇであり、クラスＩＩのストッキングは、３０〜４０ｍｍＨｇ、またクラスＩＩＩのストッキングは、４０〜５０ｍｍＨｇである。
【００２４】
このような圧迫ストッキングは、下腿病変の一般的に利用される非侵襲性治療であるが、圧迫ストッキングが呈示する課題は、非常に多い。緊密にフィットするストッキングを着用することは、身に付けるのに面倒であるか又は時間がかかることがあり、着用者が負傷していたり、年配であったり、又は何らかの形態の障害を有する場合には、前に居る別の人を用立てる必要があり得る。更に、ストッキングにより加えられた圧力は、気密性レベルの増減に関して任意の選択肢を選ばない場合、使用中は、概して比較的一定に留まる。圧迫ストッキングは繰り返し着用されるため、それらは、弾力性を失い、したがって時間の経過と共に気密性を失う。ひとたびこのような弾力性及び気密性が失われると、そのストッキングは、ほとんど又は全く価値がなくなり、その緩みが原因で交換される必要があり、所望の圧力を得るために新規のペアを購入する必要がある。
【００２５】
医療用靴下は、脚部潰瘍の発症又は再発を防止するために、通常の形状の脚部に圧迫を加える有用でかつ利便性のある方法を代表している。しかしながら、これらのストッキングは、活発な潰瘍形成の治療での評価では限定的であり、ドレッシング材の上に適用することは困難である。このような状況では、現状では、圧迫包帯が、選択すべき治療を代表している。圧迫包帯は、肢部に圧力を加え、その圧力は、包帯張力に正比例するが、圧力が加えられる肢部の曲率半径に反比例する。したがって、この手段は、通常の割合の肢部に一定の張力で加えられた包帯が、足首において最も高い圧力で段階的な圧迫を自動的に生み出すことを意味する。この圧力は、周縁部が増加するにつれ、脚部まで徐々に低下することになる。
【００２６】
容易に理解することができるように、圧迫包帯が、治療される肢部に適用されるときに、圧迫包帯に均一な張力を加えることは、煩雑かつ困難であり、よって、これは、高度に熟練した介護人によってのみ達成される。更に、ひとたび治療される肢部に固定されると、包帯が先々多層形成をもたらすときに、包帯が滑ってはずれないか、又は包帯がずれないことを確実にするように気配り及び注意をする必要があり、このことは、次々に高い圧力の局所化された領域をもたらし、患者を皮膚の壊死の直接的な危険にさらす可能性がある。
【００２７】
機械的な圧迫治療もまた、提案されている。典型的な圧迫デバイスが、Ｄｙｅによる米国特許第５，０３１，６０４号に記載されている。概して第２列、第３３行以下参照に記載されているように、脚部を取り囲むチャンバの配置が、提供されている。能動空気圧駆動式制御システムは、チャンバ内の圧力を制御して足首近くの脚部を圧搾し、次いで、膝に向かって上方に順次圧搾して肢部から心臓に向かって血液を移動させる。Ｔｕｍｅｙらによる米国特許第６，４８８，６４３号の第４列、第２０〜５９行に記述されているように、機械的に生成された圧迫レベルが、包帯法を通じて得られた同様の圧迫レベルでは記述されていない虚血性（すなわち、局所化組織貧血）を引き起こし得る。それはまた、細胞浸潤（すなわち、脚部脈動血流内の低下）も引き起こし得る。また、空気圧駆動式制御システムは、かさばり、かつ重く、治療中の患者の移動を大幅に制限する。更に、その空気圧駆動式制御システムは、壊死の原因となり得る過剰な圧力が、治療される肢部に加えられないことを確実にする機構を設けていない。これらの制限により、ほとんどの機械的圧迫デバイスが、深部静脈血栓症を呈する患者にとってそぐわないことがわかった。その結果、当業者は、肢部の静脈潰瘍又は浮腫の治療のためのこのような機械的圧迫デバイスを今日まで回避してきた。
【００２８】
共有された米国公開第２００４／０１９３０８４号は、その全体が参照により本明細書に組み込まれ、静脈瘤の治療と併せて使用するためにヒトの脚部に圧力を加えるためのデバイスを開示している。このデバイスは、可撓性部材、及びヒトの脚部の周囲を固く巻き付けるように適合されている、その部材と一体化した少なくとも１つの空気ブラダチャンバを含む。空気ブラダチャンバ（複数可）と流体連通するチューブは、空気ブラダチャンバ（複数可）を加圧状態に膨張させるように動作する空気圧送機構まで延在する。可撓性部材は、好ましくは、膝関節レベルにおける開口部を含み、膝蓋骨がそこを通って突き出ることができる。更に、可撓性部材は、好ましくは、膝関節レベルの下に延在し、脚部に安定性を提供するために脚部の下部の周囲に固く巻き付けるように適合されている。デバイスの空気ブラダチャンバは、第１の寸法が、それに直交する第２の寸法よりも実質的に長いことが好ましく、その結果、空気ブラダチャンバは、垂直寸法の方向に相対的に長く、水平寸法の方向に狭いヒトの脚部の一部を覆うように配置されることができる。
【００２９】
共有された米国特許第７，２７６，０３７号は、その全体が参照により本明細書に組み込まれ、人体の先端部、例えばヒトの脚部の一部に圧迫治療を適用するための装置を開示している。このデバイスは、可撓性部材及び空気ブラダチャンバを含む。この可撓性部材は、空気ブラダ−チャンバを先端部に固定するために、先端部の周囲に巻き付けるように適合されている。空気圧送機構は、空気ブラダチャンバを加圧状態に膨張するように動作されている。１つ以上の流体充填加圧部材が設けられ、各部材は、別個であり、可撓性部材及び空気ブラダチャンバから区別され、よって、可撓性部材及び空気ブラダチャンバに対して容易に移動可能である。加圧部材（複数可）は、先端部と可撓性部材との間に動作可能に配設され、そこのそばで加圧部材は、使用中、増大する局所化された圧力を先端部に加える。空気ブラダチャンバは、第１の寸法が、それに直行する第２の寸法より実質的に長いことが好ましく、その結果、空気ブラダチャンバは、先端部の相対的に長く、かつ狭い一部を覆うように先端部に沿って長手方向に延在することができる。空気チャンバの位置は、局所的な圧力を所望の人体部分（ある特定の静脈チャネルなど）に加えるように容易に適合され得る。加圧部材（複数可）は、使用中に配置されることができ、その結果、加圧部材は、静脈潰瘍（又は他の治療部位）を覆い、治療を促進するために、増大した局所化された圧力を治療部位に加える。
【００３０】
現在の既知のすべての治療装置、デバイス、包帯、ストッキング、及び靴下は、安定性、過剰圧力合併症を伴わない十分な有効圧力の維持、圧迫の維持などに関する問題を有する。更に、現在の既知のすべての治療装置、デバイス、包帯、ストッキング、及び靴下は、特に現在の治療装置及びデバイスは、圧迫又は膨張手段の１つの源に接続することができるだけであり、コネクタの汎用的な膨張ポートは、既知ではなく、それについては、患者は、治療装置又はデバイスのための膨張源及び膨張手段を変えることによって治療を変えることができる。
【００３１】
現在の治療装置、デバイス、包帯、ストッキング、及び靴下に関する他の既知の問題は、熟練した介護者が、現在の治療装置及びデバイス、包帯、ストッキング、並びに靴下を作動させる必要があることである。このような熟練した介護者は、すべての患者、とりわけ、長期介護保険を有しない患者、又は熟練した在宅介護者が提供されない患者にとっては、必ずしも有効であるとは限らない。更に別の既知の問題は、治療装置及びデバイス内の設定された圧迫の漏洩であり、包帯、ストッキング、及び靴下は、結果として患者及び使用者にとって役に立たずに提供され得る効果のない治療、及び効果のない装置又はデバイスをもたらすことである。現在の治療装置及びデバイス、包帯、ストッキング及び靴下に関する更なる問題は、膨張手段又は圧迫源が、手動又は機械的又は電気的のいずれかで設定され、膨張ポート又は膨張手段が、汎用的でなく、かつ交換可能でないとい点で、融通が効かないことである。現在の治療装置及びデバイス、包帯、ストッキング及び靴下に関する更に別の問題は、膨張手段又は源が、静的又は断続的のいずれかであり、このような装置及びデバイスを治療中に再び変更することができないことである。
【００３２】
本発明の装置、方法、アセンブリ、及びシステムは、既知の圧迫技術に関する多くの問題、特に現在の圧迫ラップ技術を適用することの困難さにより生じる問題を克服し得る便益及び利点を提供する。本発明は、患者を不快にさせ、それらの弾力性、すなわち時間の経過と共にそれらの有効性を消失させるような、強固に固定する治療用弾性被服を採用する既知の技術の代替方法を提供する。当業者ならば、腫脹を防止し、静脈の血行を更に改善するために、局所化された圧迫を脚部及び足部に加えるように適合及び構成され、また患者が実効的に自己管理することができる、ＣＶＩ、ＤＶＴ、及びリンパ浮腫を治療するための治療用圧迫デバイスを提供することが有益であることを容易に理解するであろう。
【発明の概要】
【００３３】
本発明は、治療用圧迫装置を対象とする。この治療用圧迫装置は、主ラップ及び副ラップ、並びに必要に応じてスティラップを備える。主ラップは、脚部などの肢部の少なくとも第１の部分を取り囲み、そこに圧迫を加える。主ラップは、例えば脚部の膝に向かって配置するための水平近位側エッジ、例えば脚部の足首に向かって配置するための水平遠位側エッジ、及び水平近位側エッジ及び水平遠位側エッジに垂直な第１及び第２の周辺エッジを有する。副ラップは、脚部の足部などの肢部の少なくとも一部分を取り囲み、そこに圧迫を加える。スティラップは、主ラップを脚部などの肢部に固定するために、水平遠位側エッジに沿って主ラップと一体化され、スティラップは、主ラップと副ラップとの間に配置されている。
【００３４】
治療用圧迫装置は、圧力を脚部などの肢部上の治療部位に加えるために、主ラップと動作可能に関連付けられた少なくとも１つのブラダを更に備え得る。主ラップは、少なくとも１つのブラダを収容するための少なくとも１つの内ポケットを含み得る。別の選択肢として、少なくとも１つのブラダは、主ラップと一体であり得る。主ラップを取り付けるための１つ以上の手段は、肢部の周囲に主ラップを固定するために、主ラップの第１及び第２の周辺エッジに沿って動作可能に関連付けられ得る。
【００３５】
少なくとも１つのブラダは、少なくとも１つのブラダが充填されたときに、所定の勾配圧力プロファイルを形成するように適合及び構成され得る。少なくとも１つのブラダは、楔状ブラダ、円錐状ブラダ、円板状ブラダ、又は矩形状ブラダのうちの１つであり得る。少なくとも１つのブラダはまた、複数の流体チャンバも含み得る。治療用圧迫装置は、主ラップにより治療部位に供給された圧力の量を制御するために、少なくとも１つのブラダに結合された圧力を調節するための少なくとも１つの手段を更に備え得る。
【００３６】
副ラップは、スティラップに取り付けられ得る。副ラップは、足部の足指などの肢部を包むように構成され得、かつ／又は足部のかかとを包むように構成され得る。副ラップはまた、足部の周囲に調節可能なストラップとしても構成され得る。
【００３７】
治療用圧迫装置は、例えば脚部などの肢部の周囲に主ラップを固定するために、主ラップの近位側水平エッジに沿って調節可能なベルトを更に備え得る。主ラップは、複数の別個の層を含む非弾性複合材料の少なくとも一部分で形成され得る。一実施形態では、その複合材料は、内側積層層、外側フック適合性層、及び内側層と外側層との間に設けられた中間非弾性層の３つの別個の層を含み得る。複合材料はまた、例えば脚部などの肢部に主ラップの輪郭を描くための複数の縫い込まれたダーツ及びギャザーと共に設けられ得る。
【００３８】
本発明はまた、圧力を肢部に提供するための圧迫装置のためのブラダアセンブリも対象としている。ブラダアセンブリは、空気ポケットを形成するように周辺エッジの周りに互いに固定された第１及び第２の可撓性壁を有する少なくとも１つのブラダと、ブラダ内に複数のチャンバを画定するように互いに第１及び第２の壁と接続する周辺エッジの所定の場所の奥に設けられた少なくとも１つのスポット溶接とを含む。少なくとも１つのスポット溶接の幾何学的配置は、少なくとも１つのブラダの圧力プロファイルを決定する。
【００３９】
少なくとも１つの膨張ポートを通る空気ポケットなどのブラダを膨張させるための膨張手段は、ブラダアセンブリの第１の壁内に設けられ得る。膨張手段は、少なくとも１つの膨張ポートから取り外し可能であり得る。少なくとも１つの圧力弁は、ブラダ内の圧力の量、及びブラダ内の空気ポケットを制御するための膨張手段と動作可能に関連付けられ得る。膨張ポートは、治療用圧迫装置のブラダ内の所与の圧力を維持するように逆止弁を含む。膨張ポートは、手動ポンプ、機械式ポンプ、電動ポンプ、電池式ポンプ、静的ポンプ、間欠ポンプ、空気圧ポンプ、負圧源、及び他の変形物などの複数の膨張源及び膨張手段と接続及び受容することが可能であるように構成されている点において汎用的であり得る。
【００４０】
本発明の方法は、患者によって肢部の周囲に主及び副ラップを適用すること、膨張手段を膨張ポートに挿入すること、主及び副ラップ内のブラダを膨張させること、及びＣＶＩ、ＤＶＴ及び／又はリンパ浮腫を治療するために特定の圧力を維持することによって、ＣＶＩ、ＤＶＴ及び／又はリンパ浮腫を治療するに使用される治療用処置装置を含む。
【００４１】
本発明の別の実施形態は、本発明によるアセンブリを含み、そのアセンブリは、肢部に取り付けるための可撓性部材、及び所望の加圧状態に圧送され得る空気チャンバを有する圧力機構と、別個の相対的に小さい予充填空気ブラダと、予充填空気ブラダに結合された吸収性発泡体、スポンジ、又はドレッシング材と、負圧源（吸引）と結合され、吸収性発泡体、スポンジ、又はドレッシング材と流体連通する吸引導管とを含む。好ましい実施形態では、予充填空気ブラダ、吸収性発泡体、スポンジ又はドレッシング材、及び吸引導管は、ユニットとして一緒に形成されている。
【００４２】
本発明の一態様によれば、圧力機構の可撓性部材は、予充填空気ブラダ及び発泡体、スポンジ又はドレッシング材を先端部内の創傷又は潰瘍に固定するように、脚部又は腕部の周囲、及び予充填空気ブラダの上に巻き付けるように適合されている。よって、可撓性部材は、面止め具機構などの何らかの固定構造体と共に提供されている。空気圧送機構は、好ましくは、空気チャンバを加圧状態に膨張させるように、圧力機構の空気チャンバに結合される。圧力機構の空気チャンバは、好ましくは、肢部全体の周囲とは対照的に、予め画定された区域（例えば、脚部の伏在静脈）に沿って圧力を加えるように設計される。
【００４３】
本発明の別の態様によれば、吸引導管は、予充填空気ブラダと、小さい空気ブラダに接着されている吸収性発泡体、スポンジ、若しくはドレッシング材とのいずれかの間に置かれ、又は予充填空気ブラダは、中央開口部を有するドーナッツとして形成され、かつ吸引導管は、その中央開口部を通って延在する。吸引導管を負圧源に結合することによって、創傷又は潰瘍からの滲出物は、発泡体、スポンジ、又はドレッシング材を通って吸引導管中に吸い込まれる。
【００４４】
本発明の方法のうちの１つは、肢部状の創傷又は潰瘍の上に予充填空気ブラダ、及び発泡体、スポンジ、又はドレッシング材を配置することと、予充填空気ブラダ／吸収性発泡体、スポンジ、又はドレッシング材の上に配置された空気チャンバと共に肢部の周囲に圧力機構の可撓性部材を巻き付けることと、固定構造体を使って空気圧式圧力機構を締結することと、を含む。装置が肢部に適切に配置され、かつ貼り付けられると、空気チャンバは、好ましくは３０〜４０ｍｍＨｇまで膨張し、それによって、肢部、より具体的には、予充填空気ブラダを介して創傷に圧力を加える。吸引装置は、負圧源をオンにすることによって作動し、創傷又は潰瘍からの滲出物が、吸収性発泡体、スポンジ、又はドレッシング材を通って吸引導管中に引き込まれる。
【００４５】
本発明の別の実施形態は、断続的な圧力をヒトの脚部の領域などの人体の一部分に加えるための装置を含み、この装置は、その領域の内外に血流を促進すること及び排液を高めることによって、静脈潰瘍又は創傷などの様々な状態の治癒及び治療を支援する。この装置は、足部ブラダ及び脚部ブラダを含み、各ブラダは、膨張によって入ってくる流体を収容する膨張可能なチャンバを有する。ブラダは、流体導管によって流動結合され、各ブラダは、好ましくは、人体の一部分の上にそれを配置するための手段を備え付けられている。好ましい実施形態では、足部ブラダは、足部の底部に配置され、脚部ブラダは、脚部の下部の上に配置されている。人が装置を着用しながら歩行するとき、人の足部（かかと）が、足部ブラダ上に配置された外部圧力により地面に打ち当たると、足部ブラダの一部分は、膨張し、それによって、足部ブラダから、流体導管を通って脚部ブラダへ流体を押し出し、脚部ブラダ内の圧力を上昇させる。人の足部が、標準的な歩行運動でかかとから足指まで回転すると、人の体重からの外部圧力が、足部ブラダから取り除かれ、結果として脚部ブラダの圧力が、足部ブラダの圧力よりも高くなる。こうして、流体は、流体導管を通って足部ブラダ中に戻り、次いで再びその元の状態に膨張し、その結果、足部ブラダ及び脚部ブラダの圧力が、均一化される。この工程は、人が歩行するときに繰り返され、これにより、脚部ブラダ内の圧力が断続的に増減するときに、脚部上に圧送力又は混練力を作り出し、これにより、脚部の様々な部分への血流、流体排液、治療、及び治癒を促進する。
【００４６】
本発明の関連するこれら及び他の態様は、図面と併せて読まれる以下の説明からより容易に明らかになるであろう。
【図面の簡単な説明】
【００４７】
本発明が属する技術分野の当業者が、本発明の装置をどのように製造及び使用するかをより容易に理解するように、図面を参照して、それらの好ましい実施形態を、以下の本明細書に詳細に説明するであろう。
【００４８】
【図１】本発明による治療用圧迫装置を含む、本発明の一実施形態の斜視図であり、この治療用圧迫装置は、足部のベースにおけるスティラップ、及び膝下の調節可能なストラップの両方を有する使用者の右側脚部及び足部の周囲に巻き付けられ、その装置は、流体ブラダを固定するための主ラップの内部表面上に設けられたポケット（隠れ線で示す）を有し、このブラダは、着脱可能な空気ポンプ及び圧力計と共に設けられ、主及び副ラップが、互いから分離されている。
【図２Ａ】図１の治療用圧迫装置の斜視図であり、図中、主及び副ラップは、巻き付けられていない状態で例示され、ラップの内表面が示され、副ラップが、スティラップと共に一体化されているように示されている。
【図２Ｂ】図１の治療用圧迫装置の斜視図であり、図中、主ラップ及び副ラップは、巻き付けられていない状態で例示され、主ラップの内面は、主ラップのポケット内にブラダを有するように示され、副ラップは、スティラップと共に一体化されているように示されている。
【図３】脚部の周囲に輪郭が描かれた多数の縫い込みダーツ及びギャザーを有する本発明による主ラップの上部の外面の正面図であり、その主ラップは、主ラップの外面の大部分を示すように例示されている。
【図４】本発明の主ラップの複合材料を例示する図３の線１２’−１２’に沿って切り取られた断面図であり、３つの別個の層を有する。
【図５】本発明によるブラダの分解組立斜視図であり、そのブラダは、複数のスポット溶接、圧力計、及びブラダから分離されたように例示されてもいる空気ポンプを有する。
【図６Ａ】膨張状態における図５の膨張ブラダの側面図である。
【図６Ｂ】線３６’−３６’に沿って切り取られた断面図であり、ブラダ内で最大限の効果が得られるように配置されたスポット溶接が、どのようにブラダの上部壁及び下部壁を接合し、所望の勾配プロファイルを形成するかを例示している。
【図７】非膨張状態（左）及び膨張状態（右）にある楔状ブラダの断面図である。
【図８】非膨張状態（左）及び膨張状態（右）にある円錐状ブラダの断面図である。
【図９】非膨張状態（左）及び膨張状態（右）における円板状ブラダの断面図である。
【図１０】非膨張状態（左）及び膨張状態（右）にある矩形状ブラダの断面図である。
【図１１】本発明に基づいて構成された治療用圧迫装置を含む本発明の別の典型的な実施形態の上面図であり、被服の内部から見たときの、圧迫被服全体にわたって貫通孔、かかとパッド、及び足首パッドのレイアウトを示している。
【図１２】図１１の治療用圧迫装置の底面図であり、被服の外部から見たときに、内側及び外側シート内のブラダを画定する内側シートに外部シートを接続するための溶接パターンを示している。
【図１３】図１１の治療用圧迫装置の分解組立斜視図であり、外側シート、内側シート、並びに面止め具のレイアウトを示している。
【図１４】図１１の線４−４に沿って切り取られた治療用圧迫装置の詳細断面図であり、収縮状態にある脚部圧迫ブラダを例示している。
【図１５】図１１の線４−４に沿って切り取られた治療用圧迫装置の詳細断面図であり、膨張状態にある脚部圧迫ブラダを例示している。
【図１６】下腿上に着用された図１１の治療用圧迫装置の、それぞれ、正面斜視図及び内側斜視図である。
【図１７】下腿上に着用された図１１の治療用圧迫装置の、それぞれ、正面斜視図及び内側斜視図である。
【図１８】図１７の線８−８に沿って切り取られた治療用圧迫装置の詳細断面図であり、膨張状態にある脚部圧迫ブラダを例示している。
【図１９】本発明によるアセンブリを含む、本発明の別の実施形態の透視図である。
【図２０Ａ】本発明による図１９の圧迫機構の等角図であり、その巻き付けられていない状態にある機構を示している。
【００４９】
【図２０Ｂ】本発明による代替の圧迫機構の等角図であり、その巻き付けられていない状態にある機構を示している。
【図２１Ａ】本発明による図１９の圧迫機構の別の実施形態の図であり、小伏在静脈の近くの下腿に局所化された圧力を加えるために下腿の周囲に巻き付けられることが意図され、その身体接触表面が本ページの外側に対面しながらその巻き付けられていない状態で示されている。
【図２１Ｂ】本発明による図１９の圧迫機構の別の実施形態の図であり、大伏在静脈の近くの上腿に局所化された圧力を加えるために上腿（例えば、大腿部）の周囲に巻き付けられることが意図され、その身体接触表面が本ページの外側に対面しながらその巻き付けられていない状態で示されている。
【図２２】予充填空気ブラダ、吸収性発泡体、スポンジ、又はドレッシング材、並びに吸引導管を含むユニットの実施形態の透視分解組立図であり、そこでは、吸引導管が、ユニットの中央に延在している。
【図２３Ａ】ユニットを適所に固定するためのストラップを有するユニットの透視斜視図である。
【図２３Ｂ】ユニットを適所に固定するためのストラップを有するユニットの透視斜視図である。
【図２４】脚部ブラダ及び足部ブラダが、流体導管によって流体接続されている、本発明の圧迫装置を含む、本発明の別の実施形態の略図である。
【図２５Ａ】図２４の脚部ブラダの斜視図である。
【図２５Ｂ】図２５Ａの脚部ブラダの上面図である。
【図２５Ｃ】図２５Ａの脚部ブラダの側断面図である。
【図２６】足部のかかとに固定された図２４の足部ブラダの別の実施形態の側面図である。
【図２７】足部のかかと上に配置された足部ブラダ、及び脚部の下部の周囲に配置された脚部ブラダを示す、本発明の別の実施形態の側面図である。
【図２８Ａ】足部及び脚部ブラダ、流体導管、並びに流体導管に接続された一方向弁、脚部の周囲に巻き付けられた可撓性部材を示す本発明の斜視図である。
【図２８Ｂ】脚部と可撓性部材との間に挟まれた脚部ブラダを有する脚部の周囲に巻き付けられた図２８Ａの可撓性部材の部分切断斜視図である。
【図２９】圧迫装置に結合可能な膨張手段又は源のための弁を含む治療用圧迫装置に係る本発明の別の実施形態の概略図である。
【図２９Ｂ】図２９Ａに示した治療用圧迫装置に係る本発明の実施形態の分解組立図である。
【図３０Ａ】図２９の圧迫装置の弁機構の拡大図である。
【図３０Ｂ】図２９の圧迫装置の弁機構の拡大図である。
【図３１Ａ】治療用圧迫装置のための本発明のポンプの一実施形態である。
【図３１Ｂ】図３１Ａに示した治療用圧迫装置のための本発明のポンプの実施形態の側面図である。
【００５０】
【図３１Ｃ】図３１Ａに示した治療用圧迫装置のための本発明のポンプの実施形態の上面図である。
【図３２Ａ】治療用圧迫装置のための本発明のポンプの別の実施形態である。
【図３２Ｂ】図３２Ａに示した治療用圧迫装置のための本発明のポンプの実施形態の逆止弁の拡大である。
【図３３】治療用圧迫装置のための本発明のポンプの別の実施形態である。
【図３４】図３３で示した治療用圧迫装置のための本発明のポンプの実施形態の内部断面図である。
【図３５】治療用圧迫装置のための本発明のポンプの別の実施形態の内部断面図である。
【図３６】治療用圧迫装置のための本発明のポンプの別の実施形態の内部断面図である。
【図３７】腕部治療用圧迫装置の本発明の別の実施形態である。
【図３８】腕部治療用圧迫装置の本発明の別の実施形態であり、２つの別個の治療用圧迫装置が、取捨選択可能なタブによって接合されている。
【図３９】電気式膨張機構を含む治療用圧迫装置の本発明の別の実施形態の概略図である。
【図４０】図３９に示した電気式膨張機構を含む治療用圧迫装置の本発明の一実施形態である。
【発明を実施するための形態】
【００５１】
本発明の好ましい実施形態は、添付図面を参照して以下に記載され、同様の参照番号は、同じ又は類似の要素を表す。当業者であれば、本明細書で検討される装置は、脚部及び足部の圧迫療法に関するが、本発明の範囲は、これらの典型的な用途に限定されず、圧迫療法が必要とされる解剖学的部分に対してサイズ及び形状設計され得ることを理解するであろう。
【００５２】
本発明は、例えば、下腿及び足部、又は腕及び手を含む先端部を含む患者の肢部への圧縮を、現在のシステムよりも単純かつより便利な方法で提供する。任意の肢部又は身体部分は、例えば足、ふくらはぎ、大腿、膝、脚、臀部、尻、腰、胴体、肋骨、肩、腕、手、指、首、頭部などのような、即時治療用圧迫装置によって圧迫されてもよい。
【００５３】
本発明は、圧迫を提供し、圧迫に使用することができる非弾性結合剤及びブラダを使用して、例えば足部などの肢部の腫脹を防止するためのシステムを提供する。ブラダは、非弾性ラップ内に設けられ、供給される圧力の一貫した測定、並びに患者による安全、快適、便利、有効であり、自己への適用を可能にする仕方で圧迫を作り出す。
【００５４】
値の範囲が設けられる場合、その範囲の上限値と下限値との間で明確に指示されない限り、その範囲の上限値及び下限値と、記載された範囲が本発明内に包含されている任意の他の記述値又は介在値との間で、各介在値が下限の単位の１０分の１になることが理解される。これらのより小さい範囲の上限及び下限は、独立して、より小さい範囲に含まれてもよく、また本発明に包含され、記載された範囲内の任意の具体的に除外される限界を対象とする。記載された範囲が限界のうちの１つ又は両方を含む場合、それらの含まれる限界のいずれかを除外する範囲もまた、本発明に含まれる。
【００５５】
特に定義されない限り、本明細書で使用されるすべての技術用語及び科学用語は、本発明が属する当業者によって一般的に理解されるものと同じ意味を有する。本明細書に記載されるものと同様又は同等の任意の方法及び材料はまた、本発明の実施又は試験に使用することもできるが、典型的な方法及び材料については、これから説明する。本明細書で言及されるすべての刊行物は、参照により本明細書に組み込まれ、その刊行物が関係上引用される方法及び／又は材料について開示及び記載する。
【００５６】
本明細書、及び添付の特許請求の範囲で使用するとき、単数形「ａ」、「ａｎ」、及び「ｔｈｅ」は、文脈がそうでない旨を明確に指示しない限り、複数の指示対象を含むことに留意されたい。したがって、例えば、「刺激」への言及は、複数のそのような刺激を含み、「信号」への言及は、当業者等に既知の１つ以上の信号及びその等価物への言及を含むことになる。
【００５７】
本明細書で検討される刊行物は、本出願の出願日前に、それらの開示に対してのみ提供される。本明細書には、本発明が、先行発明のおかげでそのような出版物を先行する権利を持たないことを認めるものとして解釈されるべきものは何もない。更に、提供される出版物の日付は、独立して確認される必要があり得る実際の出版物の日付と異なり得る。
【００５８】
ここで図１を参照すると、本発明による治療用圧迫装置１０の典型的な実施形態が例示されており、内部に、治療用圧迫装置１０の主ラップ１２の外側表面１１が、患者の右脚部の周囲に巻き付けられた状態で示されている。この実施形態では、治療用圧迫装置１０は、患者の下腿２及び足部６の圧迫を供給するように適合及び構成されている。治療用圧迫装置１０は、下腿２を取り巻き、下腿２に圧迫を加えるために利用され得る主ラップ１２からなる。主ラップ１２は、主ラップ１２の内側表面９上に設けられた関係付けられたブラダ２２を有する。図１に示すように、主ラップ１２は、下腿２を取り巻き、ブラダ２２が耕作され、又は膨張されると、圧迫が、所望の治療位置に加えられる。特に、主ラップ１２は、治療部位の局所化された圧迫の増大を可能にする非弾性材料で作製されている。治療用圧迫装置１０はまた、入口若しくは膨張ポート２４において取り外すことができる、恒久的又は着脱可能な圧力計２８のいずれかも含む。ポンプ３０は、チューブ２６を通してブラダ２２中に空気を手動で圧送するために設けられている。手動ポンプを凌駕する他の膨張手段が、使用されてもよい。主ラップ１２、副ラップ１４、及びブラダ２２の追加的な特徴は、本明細書で順番に説明されるであろう。
【００５９】
主ラップ１２は、例えば、下腿２の周囲のラップを取り巻き、任意の数の接続構造体を使って周辺エッジ５及び７にそれを取り付けることによって、下腿２などの患者の肢部に取り付けられてもよい。図１及び２Ａ〜図２Ｂに例示された接続タブ３２ａ、３２ｂ、３２ｃ、３２ｄなどの面ファスナタブを使用して、主ラップ１２の反対側の周辺エッジ５及び７を接続し、主ラップを下腿２の周囲に固定することができる。また、主ラップ１２をそれ自体に締結するための面ファスナタブ、バックル、ストラップ、スナップ、又は他の既知の構造体も使用して、患者の肢部の周りに主ラップ１２を取り付けてもよい。接続タブ３２ａ、３２ｂ、３２ｃ、３２ｄの数及び位置は、主ラップ１２が、主ラップ１２材料の抱き合わせ又は垂れ下がり、及び患者への不快感を起こさずに無理なく固定されるように、患者の治療部位の解剖学上の位置に基づいて選択することができる。
【００６０】
この例では、主ラップ１２の水平近位端１において、膝８に向かって取捨選択可能なガーター又は調節可能なベルト１８が設けられて、下腿２の周囲に主ラップ１２を更に固定することができる。調節可能なベルト１８は、接続タブ、バックル、又は他の既知の接続構造体を使って脚部２の周囲に接続することができる。図３に示すように、主ラップ１２はまた、治療される特定の肢部の周囲に主ラップ１２の輪郭を描くように要所要所に配置されている多数の縫い込みダーツ５０及びギャザー５２とも一緒に製造されている。
【００６１】
主ラップ１２は、好ましくは、非弾性であり、かつ１つ以上の芯材料層を有する複合材料で作製され、その理由は、材料が非弾性であるため、主ラップ１２は、堅いままであり、例えば、ブラダ２２が充填され、又は膨張される場合にも伸張しないからである。図４を参照すると、主ラップ１２の複合材料は、図に示すように、３つの別個の層１２ａ、１２ｂ、及び１２ｃを有する。内側層１２ａは、患者の皮膚と接触し、非弾性であり、好ましくは芯材料、非面ファスナ適合性材料で作製されている内側表面９を含む。この内側層１２ａの芯材料の特徴は、治療される肢部から、汗、及び他の不要な水分を取り去る。内側層１２ａの非面ファスナ適合性の性質は、例えば、面ファスナタブが使用される場合、主ラップ１２が接続タブ３２ａ、３２ｂ、３２ｃ、３２ｄ上には引っ掛かることがないことから、望ましい。また、患者の皮膚に対する非フッキング材料は、フッキング材料から生じ得る炎症も低減する。外側層１２ｃは、接続タブ３２ａ、３２ｂ、３２ｃ、３２ｄが、肢部の周りで主ラップ１２の周辺エッジに固定されるように、フック適合性である少なくとも一部分を有する。外側層１２ｃの底面は、主ラップ１２の外側表面１１であり、また非弾性及び通気性も有する。内側層１２ａと外側層１２ｃとの間に配置された内側層１２ｂは、通常、通気性のある積層材料で作製される。
【００６２】
図２Ａ〜図２Ｂを参照すると、スティラップ１６はまた、この例では、足部６のベースである肢部の周りの適所に主ラップ１２を固定するのを助けるためにも設けられている。図１に最もよくわかるように、この実施例におけるスティラップ１６は、足部２の一部分を取り巻き、足首４近くの主ラップ１２のいずれかの側面上の２点で主ラップ１２の水平遠位側エッジ３に接続されている。スティラップ１６は、主ラップ１２と副ラップ１４との間に配置されている。図２Ａ〜図２Ｂに示すように、スティラップ１６は、典型的には、副ラップ１４に接続され、共に一体化された弾性材料の１つの連続片である。
【００６３】
治療用圧迫装置１０の副ラップ１４は、この例では、肢部を取り巻き、足部６は、主ラップ１２のように、足部６などの肢部に圧迫を加えること、又は別の選択肢として創傷治療ドレッシング材用保護被服としての両方に利用することができる。副ラップ１４は、足部６などの肢部の腫脹を防止するのに役立つ。腫脹は、それ自体の上にも、又は下腿２の圧迫の結果として生じる可能性がある。図２Ａ〜図２Ｂに示すように、副ラップ１４は、必要に応じて、スティラップ１６と一緒に連続片で作製されてもよい。別の方法として、図１に示すように、副ラップ１４は、主ラップ１２とは独立に設けられてもよい。
【００６４】
副ラップ１４は、典型的には、弾性材料で形成されるが、非弾性材料、又はその２つの組み合わせで形成されてもよい。副ラップ１４は、接続される材料の単一片であってもよい。別の方法として、副ラップ１４はまた、図１に示すような１つ以上の面ファスナタブなどの任意の数の機械的固定デバイスによって、又はストラップ、バックル、スナップ等によって、足部６、又は別の肢部若しくは身体部分の周囲を固定され得る。この実施形態では、副ラップ１４は、面ファスナタブを引き込み、そして締め付けることによって足部６に圧迫を提供し、それによって足部６の周囲に圧力を加える。
【００６５】
副ラップ１４は、患者の治療ニーズに応じて多くの構成を有し得る。図１に示すように、副ラップ１４は、患者の足部６の足指を露出するように、開放足指としてもよい。別の方法として、副ラップ１４は、閉鎖足指ブーツとして構成されてもよい。更に、副ラップ１４は、図１に示すように、開放かかとを有してもよく、又はブーツ（図示せず）と同様の閉鎖かかとを有してもよい。
【００６６】
主ラップ１２は、治療部位の周囲に少なくとも１つのブラダ２２を非弾性的に保持することによって、患者の肢部に圧迫を供給する。一実施形態では、例えば、局所化された圧力は、下腿２の伏在静脈近くで治療用圧迫装置１０によって提供される。図２Ｂに示すように、主ラップ１２は、主ラップ１２と関係付けられたブラダ２２をカバーする。ブラダ２２内の流体は、液体、気体、又はゲルであってもよい。ブラダ２２は、ブラダ２２が治療用圧迫装置１０内に充填されたときに、圧迫を脚部２に提供する機能を果たす。
【００６７】
ブラダ２２は、１つ以上のポケット２０の中に挿入され得、それらのポケットは、圧迫が主として加えられるであろう場所にブラダ２２を格納するための主ラップ１２内に設けられている。この実施形態では、ブラダ２２は、治療用圧迫装置１０から取り外し可能である。別の実施形態では、ブラダ２２は、主ラップ１２内に恒久的に一体化され、取り外しできない（図示せず）。
【００６８】
本発明によれば、ブラダ２２は、所望の治療用養生療法に必要な圧力を監視、設定、及び調節するための多くの追加の特徴を有し得る。図１及び図５に示した典型的な実施形態では、ブラダ２２は、圧力計２８を含む。圧力計２８は、マノメータなどの圧力測定器であり、これは、ブラダ２２内に加えられた閉鎖圧力と、圧力計２８の他方における開放圧力との間の圧力差を測定する。測定された圧力の増分は、使用される液体の密度、及び配管の直径に依存する。
【００６９】
圧力計２８は、膨張入口２４ａにおける膨張管２６を通ってブラダ２２に空気を圧送する流体又は空気ポンプ３０と併用して動作する。ポンプ３０は、ブラダ２２に空気を提供するための手動ポンプ又は電子式ポンプであってもよい。また、オーバーフロー弁４６が提供されてもよく、ブラダ２２内から空気を解放するための一方向弁４８と一緒に、ブラダ２２に入ることができる空気の量を制限し、それによってブラダ２２内の圧力を低下させる。図５に示すように、圧力計２８及びポンプ３０は、コネクタ２４ｂにおいてブラダ２２から取り外し可能に提供され得る。
【００７０】
別の実施形態では、ブラダ２２それ自体は、それ自体の圧力計として機能し得、その内部で、ブラダ２２の膨張が、それが膨張するにつれて、ブラダ２２内の圧力の量を示し、この例では、ブラダ２２の圧力は、予め較正されている。別の方法として、１つ超のブラダ２２を使用することができ、又は複数のチャンバを有するブラダ２２を使用して、１つ以上のブラダ２２又はブラダチャンバの膨張が内部圧力を示すことができる。本発明は、典型的には２０〜５０ｍｍＨｇの範囲内で、ブラダ２２内の圧力を提供する。
【００７１】
ブラダ２２のいくつかの異なる実施形態は、本発明の治療用圧迫装置１０内で使用することができる。図５は、本発明による、複数のスポット溶接３６を有するブラダ２２の一実施形態の斜視図を示す。このスポット溶接３６は、患者の治療部位にて必要な圧迫に対して所望の勾配プロファイルに基づいて、所定のパターンでブラダ２２内に最大限の効果が得られるように配置されている。図６Ａは、図５に例示された膨張したブラダ２２の側面図であり、ブラダ２２の水平軸に対してある角度を形成する。ブラダ２２は、周辺エッジ縫い目２５に沿って互いに封止されている第１の側壁２１及び第２の側壁２３を有する。スポット溶接３６は、第１の側壁２１、及び第２の側壁２３を互いに結合するように最大限の効果が得られるように配置されている。これらのスポット溶接３６により、ブラダ２２が、勾配プロファイルを変化させ、膨張時に多くの構成を取ることができる。ブラダ２２内のスポット溶接３６の幾何学的配置により、ブラダ２２の特定の部分の膨張を増大させ、ブラダ２２内に１つ以上の流体チャンバを作り出すことができ、図６Ｂは、線３６’−３６’に沿って切り取られた膨張したブラダ２２の断面図である。ブラダ２２が主ラップ１２内で使用されるとき、図５に示すように、ブラダ２２は、主ラップ１２の一方の端部で、他方の端部でよりも大きく膨張し、勾配、圧迫プロファイルを作り出す。この構成は、身体内の流体運動（血液、リンパ液等）を改善するのに、圧迫が必要である場合に、特に有用である。
【００７２】
図５及び図６Ｂに例示されたスポット溶接３６を有するブラダ２２に加えて、図７〜図１０に示す他のいくつかのブラダ構成が、本発明の治療用圧迫装置１０内で使用することができる。図７は、本発明による治療用圧迫装置１０内で使用され得る非膨張状態３８ａ（左）及び膨張状態３８ｂ（右）にある楔状ブラダの断面図である。楔状ブラダ３８ｂは、膨張して主ラップ１２内に配置されたとき、快適かつ効率的な勾配プロファイルを下腿２に提供する。楔状ブラダ３８ｂは、膨張時に、図７に例示しているように、角錐形状を有する。３つの角錐側面のうちの１つは、剛性があり、所望の治療領域から離れる方向への楔状ブラダ３８ｂの拡張を防止することができる。別の選択肢として、治療領域の最も近い側面は、主ラップ１２のポケット２０内に配置された剛性材料に取り付けられるか又は接続されて、所望の治療領域から離れる方向への楔状ブラダ３８ｂの拡張を防止することができる。楔状ブラダ３８ｂは、足首４が下腿２よりも薄いところの通常の解剖学的構造を収容することが好ましい。このため、楔状ブラダ３８ｂが、脚部２上に配置されると、より薄い部分が膝８に向かって位置付けられ、より厚い端部は、足首４に向かって位置付けられる。図８を参照すると、円錐状ブラダ４０ｂは、楔状ブラダ３８ｂと同様であり、膨張時に円錐を形成する。膨張した円錐状ブラダ４０ｂは、足首４が下腿２よりも薄いところの通常の解剖学的構造内で使用することが好ましい。
【００７３】
図９を参照すると、非膨張状態４２ａ（左）及び膨張状態４２ｂ（右）にある円板状ブラダの断面図が示されている。円板状ブラダ４２ｂは、２つの壁から形成され、膨張時に円板又は皿形状を有する。非膨張状態４４ａ（左）及び膨張状態４４ｂ（右）にある、図１０に示す矩形状ブラダは、円板状ブラダ４２ｂに追加された利点を提供する。また、矩形状ブラダ４４ｂは、治療領域から離れる方向に隆起又は拡張することなく圧迫を可能にする三次元ブラダとしても知られている。矩形状ブラダ４４ｂは、その長さ及び幅全体にわたって均一に膨張する。この均一な膨張は、図９に示す円板状ブラダ４２ｂの中心で生じ得る隆起を低減する。矩形状ブラダ４４ｂの壁は、弾性又は非弾性とすることができる。別の選択肢として、非弾性壁及び弾性壁の両方の組み合わせが使用されてもよい。矩形状ブラダ４４ｂの壁の１つ以上の部分は、剛性材料で形成されてもよく、又は膨張を回避するために主ラップ１２のポケット２０内に配置された剛性材料に取り付けられてもよい。
【００７４】
図１１〜図１３を参照すると、本発明に基づいて構成された治療用圧迫装置１００の典型的な実施形態が、治療用圧迫装置１００内に一体形成された圧迫ブラダ１０２を示している。治療用圧迫装置１００は、患者の肢部の周囲を取り巻くように構成及び適合され、例えばこの例では、その肢部は、連続した外側シート１０８及び内側シート１０６から外へ形成された主若しくは主ラップ１０３、及び副若しくは足部ラップ１０４の使用を通じた下腿である。治療用圧迫装置１００は、近位端部分（図１１及び図１２内の向きは上部）及び対抗した遠位端部分（図１１及び図１２内の向きは底部）を有するラップ部材であり、その部材は、患者の下腿の周囲に一致させ、ブラダ１０２の膨張を介して圧迫を提供するように構成及び適合されている。内側シート１０６及び外側シート１０８は、一緒にＲＦ溶接されるように構成及び適合されたナイロン積層ポリウレタンシートから作製されている。しかしながら、溶接可能であるか、又はそれ以外の方法では気密である間に接合されるかの任意の他の好適な材料を使用することができる。連続した周辺溶接線１１０は、一体形成されたブラダ１０２の気密境界を形成する。この典型的な実施形態では、ブラダ１０２は、主ラップ１０３及び副ラップ１０４全体にわたって単一の連続したブラダである。しかしながら、副ラップ１０４は、別個に膨張可能であるか、又は一方向弁若しくは他の所望の膨張／収縮構成を介して膨張可能であるかのいずれかの独立したブラダを有し得ることが想定される。また、副ラップ１０４は、下腿ラップ１０３から異なる圧力を提供するように構成及び適合され得る。典型的な実施形態では、副ラップ１０４内に配置されたブラダ１０２は、患者の足部の下側に沿って配置されるように構成及び適合されている。副ラップ１０４内のブラダ１０２は、患者の足部の所望の部分に圧迫を提供するように、要望とおりに調節することができる。
【００７５】
この実施形態では、面ファスナ１２４は、内側及び外側シートのエッジに沿って提供されるため、調節を容易にし、例えば、下腿及び足部などの患者の肢部の上に治療用圧迫装置１００を固定する。また、治療用圧迫装置１００は、ジッパー、ボタン、又は他の係る好適な手段により成形されたカフスなどの他の手段によって患者の下腿に固定され得ることが想定される。更に、面止め具１２４は、以下に説明される足首ストラップ１２２の材料と同様の材料で置き換えることができ、着心地よさを改善するためにブラダ１０２に溶接／縫製／取り付けが可能であることも想定される。
【００７６】
この実施形態では、膨張手段は、膨張ポート１１２に取り付けてブラダ１０２を膨張させることが可能な手押しポンプであるデバイス１３０である。また、機械的又は自動膨張ポンプ（図示せず）は、膨張ポート１１２に取り付けられ、ブラダ１０２を膨張及び収縮させて使用者の下腿に脈動圧力を提供することが可能であることを理解されたい。ブラダ内の特定圧力を提供し、したがって患者によって使用時に圧迫を提供するように、いくつかの又は様々な膨張手段、例えば、手動ポンプ、手押しポンプ、足押しポンプ、機械式ポンプ、電動ポンプ、電池式ポンプ、静的ポンプ、間欠ポンプ、可変ポンプ、自動ポンプ、空気圧ポンプ、負圧ポンプ、吸引ポンプ若しくは真空、パルスポンプ、又は任意の他の既知若しくは先進膨張源を使用することができる。また、通気弁（図示せず）が、治療用圧迫装置１００中、又は膨張手段１３０と一緒に組み込まれて、使用者がブラダ１０２を選択的に収縮させることができる。更に、逆止弁又は安全弁が、膨張手段１３０又はブラダ１０２のいずれかと一緒に組み込まれ、ひとたび最大圧力が検出されると、過剰膨張を防止する。安全弁の例は、米国特許第７，２７６，０３７号、及び米国特許第７，８５０，６２９号に記載されており、それらの開示は、参照によりその全体が本明細書に組み込まれる。
【００７７】
ここで、図１４〜図１５を参照すると、内側シート１０６及び外側シート１０８内に一体化されるようにブラダ１０２を形成することによって、その位置及び所望の予め構成された圧迫勾配プロファイルは、コスト効率よく得ることができる。ブラダ構成のいくつかの異なる実施形態は、上述した構成などの本発明の治療用圧迫装置内で使用することができる。図１１及び図１２は、内部に複数のスポット溶接１１４を伴うブラダ１０２を有する治療用圧迫装置１００を示す。スポット溶接１１４は、患者の治療部位において必要となる圧迫に対する所望の勾配プロファイルに基づいて、最大限の効果が得られるように、所定のパターンでブラダ１０２内に配置されている。スポット溶接１１４により、膨張１１２を介して膨張したときに、ブラダ１０２が、勾配プロファイルを画定することを可能にする。ブラダ１０２内のスポット溶接１１４の幾何学的配置により、ブラダ１０２の特定の部分の膨張を増大させ、ブラダ１０２内に１つ以上の流体チャンバを作り出すことができる。この構成は、圧迫が、身体内の流体運動（例えば、血液、リンパ液等）を改善するのに必要な場合に、特に有用である。更に、線形溶接線１１６により、患者のふくらはぎの後部に加えられる張力を増大させることによって、患者のふくらはぎの後部に沿ってより良好な圧迫を可能にする。この増大した張力は、静脈流を増大させるように、より有効なふくらはぎ圧迫を生成することができる。ふくらはぎの後部に沿って横方向に配置された線形溶接線１１６は、治療用圧迫装置１００の膨張プロファイルを小型に保つ波状部分を作り出し、それは、患者の歩行移動性を更に高め、患者の衣類との干渉を低減することができる。別の実施形態では、副ラップ１０４はまた、ブラダ１０２なしの弾性被服から作製することもできる。
【００７８】
治療用圧迫装置の位置に応じて、異なる圧力勾配が利用され得ることを理解されたい。他のブラダ圧力勾配プロファイルの例が、米国特許出願第１２／９１１，５６３号、及び米国特許出願第１２／８５５，１８５号に記載されており、それらの開示は、参照によりその全体が本明細書に組み込まれる。
【００７９】
ここで、図１６〜図１７を参照すると、ひとたび治療用圧迫装置１００が、患者の下腿の周囲に固定されると、ブラダ１０２は、場所を移動させるこができないため、快適さを高め、患者におけるフィット問題を低減する。患者による容易な歩行性を高めるため、典型的な実施形態では、足首クッション１２６が、隣接するかかとポート１２０に取り付けられ、つまみ点の発生を防止し、患者のアキレス腱への圧力を低減することができる。足首クッション１２６と組み合わせて、足首ストラップ１２２を使用することができる。典型的な実施形態では、足首ストラップ１２２は、下腿ラップ１０３の底部、及び副ラップ１０４の上部におけるつまみ点を防止する非弾性発泡体を含むことができる。足首ストラップ１２２を設けることに対する更なる利点は、足首ストラップ１２２直近のブラダ１０２が、患者の脚部に対してぴったりと付き、患者のかかと近くの圧迫を改善することである。足首ストラップ１２２は、面ファスナ１２４を貼り付ける前に患者の足首及び足部の周囲に巻き付けられ、好都合である。図１８からわかるように、快適性を改善するため、スルーホール１１８は、治療用圧迫装置１００全体にわたって配置され、治療用圧迫装置１００が膨張した状態での着用の間、患者の脚部の周りの通気を可能にする。明確にするため、必ずしもすべてのスルーホール１１８が、図中の参照文字で識別されているわけではない。
【００８０】
典型的な実施形態によれば、内側シート１０６は、第１の弾性率を有する層（図示せず）を更に含み、内側シート１０６は、第２の弾性率を有する。第１の弾性率は、脚部圧迫ブラダが膨張したときに、脚部の周囲に治療用圧迫装置１００を巻き付けている、治療用圧迫装置１００の近位側及び遠位端部分に対して横断方向の第２の弾性率よりも小さい。典型的な実施形態では、内側シート１０６は、使用時に下腿と直接接触するように、その内側表面上に配設された副シート（図示せず）を含む。副シートは、布地層とすることができ、この層は、脚部圧迫ブラダが膨張したときに脚部の周囲でラップ部材が丸まるように、第１の方向には弾性的であり、第２の方向には非弾性的である。
【００８１】
別の典型的な実施形態では、上部脚部ストラップ１２８は、患者のふくらはぎの最も広い部分の上方にブラダ１０２の一部分を配置することによって、治療用圧迫装置１００の着用適合性を改善するように構成及び適合されており、治療用圧迫装置１００が、ふくらはぎ圧迫を提供する際に、治療用圧迫装置１００を無効にすることになる、患者の下腿を滑り落ちるのを防止することによって、治療用圧迫装置１００の安定性を提供する。
【００８２】
図１９を参照すると、医療用アセンブリ１５０を含めて示されている本発明の別の実施形態が、提供されている。この医療用アセンブリは、概して、圧迫機構Ａ、予充填空気ブラダＢ、吸収性発泡体、スポンジ又はドレッシング材Ｃ、及び吸引装置Ｓに結合された吸引導管Ｄを含む。予充填空気ブラダＢ、吸収性発泡体、スポンジ又はドレッシング材Ｃ、及び吸引導管Ｄは、ユニットとして提供されてもよい。図に示すように、圧迫機構Ａは、患者の脚部Ｌの周囲に取り巻かれ、患者の足部Ｆの周囲に取り巻かれ得る取捨選択可能な足部ストラップＥを含む。吸引導管Ｄは、アセンブリ１を吸引源Ｓに結合するための所望の長さである。
【００８３】
図２０Ａを参照すると、例えば人体の下腿などの患者の脚部に圧力を加えるための治療用圧迫装置２００（図１９の圧迫機構Ａに対応する）の別の実施形態が、提供されている。治療用圧迫装置２００は、好ましくは、可撓性ラップ部材２１２、及び１つ以上の膨張可能な空気ブラダチャンバ２１４（好ましくは、図に示す単一の空気チャンバ）を含む。膨張可能な空気ブラダチャンバ２１４は、好ましくは、それが取り囲まれていない状態で可撓性ラップ部材２１２に固定されている。例えば、可撓性ラップ部材２１２は、空気ブラダチャンバ）２１４と共に、２つのエラストマー材料の層を含み得、その空気ブラダチャンバは、ナイロンねじ又は他の好適な締結手段により、これらの２つの層の間に貼り付けられている。別の選択肢として、可撓性部材２１２は、空気ブラダチャンバ（複数可）２１４が取り外し可能に挿入され、その中に確実に保持されるポケットを含んでもよい。更に別の選択肢の実施形態では、空気ブラダは、部材２１２の内側表面に接着されるか、又は溶接されてもよい。部材２１２のエラストマー材料は、ナイロン、ポリウレタン、綿、又は他の好適な材料から実現されてもよい。空気ブラダチャンバ（複数可）２１４と流体連通しているチューブ２１６は、圧送球２１８に延在している。圧送球２１８は、好ましくは、ゴムで作製され、チューブ２１６を介して空気ブラダチャンバ（複数可）２１４中に空気の圧送を加減する弁２２０を含む。空気は、圧送球２１８を圧搾することによって、空気ブラダチャンバ（複数可）２１４中に圧送される。このようにして、空気ブラダチャンバ（複数可）２１４は、加圧状態に置かれる。好ましくは、圧力計２２２は、空気ブラダチャンバ（複数可）２１４に動作可能に結合され、内部の圧力レベルの視覚的表示を提供する。自動圧力安全弁２２３及び手動圧力安全弁２２４が、例えばチューブ２１６を介して、空気ブラダチャンバ（複数可）２１４に動作可能に結合されてもよい。自動圧力安全弁２２３は、内部圧力が特定の閾値最大圧力に到達すると、チャンバ（複数可）２１４内の空気を周囲環境に自動的に通気する。好ましい実施形態では、この閾値最大圧力は、３０〜４０ｍｍＨｇであり、最も好ましくは、約４０ｍｍＨｇである。しかしながら、それは、所望の治療に基づいて、変化させることができる。このように、チャンバ２１４内の圧力は、閾値最大圧力を超えることができず、それによって、過剰な圧力から生じる壊死及び他の合併症の危険を低減する。手動圧力安全弁２２４は、患者（又は介護人）によって手動で作動されたとき、チャンバ（複数可）２１４内の空気を通気し、周囲環境に通気する。このように、空気チャンバ（複数可）２１４の内部圧力に対する迅速かつ容易な制御を容易にする。代替の実施形態では、手動圧力安全弁２２４及び可能性のある自動安全弁２２３は、共通のパッケージ内に一体化されてもよい。
【００８４】
空気チャンバ２１４は、第１の寸法（例えば、図２０Ａの垂直寸法）における長さが、それと直交する第２の寸法（例えば、図２０Ａの水平寸法）における長さよりも実質的に長く、その結果、空気チャンバ２１４は、その長さ（垂直寸法）に沿って局所的な圧力を加えるために、下腿に沿って実質的に長手方向に延在するように位置決めされることができる。このような局所的な圧力は、チャンバ２１４の長さに沿って実質的に一定である。例示的な実施形態では、空気チャンバ２１４は、それが下腿のふくらはぎに沿って伸張しているように配設され、患者の下腿の周囲を確実に巻き付けられ膨張するときに、空気チャンバ２１４が局所的な圧力を患者の小伏在静脈に加えるのを可能にする。しかしながら、可撓性部材２１２及び空気チャンバ２１４は、下腿の別の部分（例えば、膝の下方の脚部の一部分）に沿って配設されるように、適合され得、空気チャンバ２１４が、膨張時に、局所的な圧力をそのような下腿の一部分に加えるのを可能にする。
【００８５】
可撓性部材２１２は、使用時に、足部のかかと（及び／又は他の部分）の周囲に延在するストラップ（図示せず）を含み得る。このストラップは、使用時に、可撓性部材２１２の上方への移動を制限する。また、そのストラップは、サスペンダフック又はスロット（図示せず）を有することができ、サスペンダフック又はスロットは、サスペンダがそれらに嵌合するのを可能にし、膝又は大腿の周囲に巻き付けるバンドにより機構２１０を支持する。サスペンダは、使用時に、可撓性部材２１２の下方への移動を制限する。これらの特徴は、その所望の位置が使用の間中維持されるように脚部の長さに沿って可撓性部材２１２の進行を低減する。可撓性部材２１２は、足部上だけでなく、ふくらはぎ、大腿、股関節、臀部、胴体、肋骨、腕、手、指、肩、首、頭部などの他の肢部若しくは身体部分の上に位置付けられてもよい。
【００８６】
代替の実施形態では、可撓性部材２１２及び空気チャンバ２１４は、それらが上方脚部の一部分（例えば、大腿の一部分）に沿って配設されるように、適合され得、空気チャンバ２１４が、膨張時に、局所的な圧力をそのような上方脚部の一部分に加えるのを可能にする。上方脚部の治療の場合、可撓性部材２１２は、膝関節レベルにおいて開口部（図示せず）を画定して、膝頭（ニーサップ）がそこを通って突き出すことができる。この構成では、可撓性部材２１２は、膝関節レベルの下方に延在し、下腿の部分の周囲に確実に巻き付け、脚部の安定性を提供することができる。また、その可撓性部材は、サスペンダフック又はスロット（図示せず）を有することができ、サスペンダフック又はスロットは、サスペンダがそれらに嵌合するのを可能にし、使用時に、腰ベルトにより機構２１０を支持する。サスペンダは、使用時に、可撓性部材２１２の下方への進行を制限し、その結果、可撓性部材２１２は、その所望の位置に維持する。
【００８７】
好ましくは、可撓性部材２１２は、複数の面止め具機構２２６Ａ、２２６Ｂ（例えば、ＶＥＬＣＲＯ（登録商標）部材）を含む。好ましい実施形態では、可撓性部材は、図２０Ａに示すように、４つの面止め具機構を含む。これらの複数の止め具により、可撓性部材２１２及び空気チャンバ（複数可）２１４が、ヒトの脚部の一部分の周囲を確実に巻き付けるのを可能にする。必要ならば、他の好適な締結手段を使用して、可撓性部材及び空気チャンバ（複数可）をヒトの脚部に固定することができる。例えば、可撓性部材は、その長さ寸法に沿って伸張するジッパーを有するスリーブのような形状を形成するように適合され得る。別の選択肢として、ジッパーを省略し、スリーブのような可撓性部材が、所望の位置に配設されるまで患者の脚部上を滑るようにすることができる。
【００８８】
好ましくは、空気チャンバ（複数可）内の圧力は、手動安全弁２２４又は逆止弁の使用者操作により低減／除外され（例えば、空気チャンバ（複数可）が収縮される）、空気圧式圧迫機構は、面止め具を手動で取り外されること、及び脚部の周囲から可撓性部材２１２を解くことによって、脚部から取り外される。
【００８９】
図２０Ｂは、可撓性部材２１２、及び１つ以上の予膨張（予充填）及び気密された空気チャンバ２１４（好ましくは、図に示すように、単一の空気チャンバ）を含む、代替の圧迫機構２１０（図１９の対応する圧迫機構Ａ）を例示する。予膨張密閉空気２０チャンバ２１４は、それが巻き付けられていない状態で可撓性部材２１２に固定されていることが好ましい。例えば、可撓性部材２１２は、空気ブラダチャンバ（複数可）２１４と一緒にエラストマー材料の２つの層を含み得、その空気ブラダチャンバは、ナイロンねじ又は他の好適な締結手段によってその２つの層の間に貼り付けられている。別の選択肢として、可撓性部材２１２は、密閉された空気チャンバ（複数可）２１４が、着脱可能に挿入され、内部に固定保持されるポケットを含んでもよい。更に別の代替の実施形態では、空気チャンバは、部材２１２の内側表面に接着又は溶接されてもよい。それに関係なく、圧力計２２２は、空気チャンバ（複数可）２１４に動作可能に結合され、内部の圧力レベルの視覚的表示を提供する。可撓性部材２１２は、また、面止め具機構２２６Ａ、２２６１３（例えば、ＶＥＬＣＲＯ（登録商標）部材）を有する複数のストラップ２２５、及びストラップを受容するための複数の開口部２２７も含む。好ましい実施形態では、可撓性部材は、３つのストラップ２２５、及び３つの開口部２２７を含む。使用中、ストラップは、開口部を通ってねじ止めされ、面止め具機構２２６Ａ及び２２６Ｂが互いに係合するように、それら自体の上に戻される。固定されたストラップを引っ張り、止め具機構を使ってそれらを貼り付けることによって、多少の圧力が、予充填チャンバに加わり得、それによって圧迫機構が適用される肢部に多少の圧力を加え得る。加えられた圧力の量は、数値的又は他の視覚的表示を有し得る圧力計２２２のよって読み取ることができる。
【００９０】
ここで、図２１Ａを参照すると、空気圧式圧迫機構（図１９の圧迫機構Ａに対応する）の代替実施形態が示されている。圧迫機構２１０’は、可撓性部材２１２’、及び１つ以上の膨張可能な空気チャンバ２１４’（好ましくは、図に示すように、単一の空気ブラダ）を含む。膨張可能な空気チャンバ２１４’は、好ましくは、本明細書に記載したように、流体充填部材２３０と同様な方法でフランジ部分の周囲を加熱封止することによって、互いに結合された２つの壁から形成され得る。空気チャンバ２１４’は、好ましくは、にかわ付け、溶接、又は他の好適な締結手段によって可撓性部材２１２’の内側表面に固定されている。別の選択肢として、可撓性部材２１２’は、空気ブラダチャンバ（複数可）２１４’と共に２つのエラストマー材料の層を含み得、その空気ブラダチャンバは、ナイロンねじ又は他の好適な締結手段により、これらの２つの層の間に貼り付けられている。可撓性部材２１２’は、好ましくは、ナイロン、ポリウレタン、綿、又は他の好適な材料から実現されてもよい。コネクタ２１６Ａ’は、好ましくは、空気ブラダチャンバ２１４’の底面を通って延在するポート（図示せず）を経由して空気チャンバ２１４’と流体連通している。コネクタ２１６Ａ’は、上述した圧送球、又は膨張機構への流体接続のための膨張チューブ（図示せず）と嵌合する。自動圧力安全弁３２３’及び手動圧力安全弁は、好ましくは、空気ブラダチャンバ（複数可）２１４’の底面を通って延在する追加のポート（図示せず）を経由して空気チャンバ（複数可）２１４’と流体連通している。
【００９１】
好ましくは、可撓性部材２１２’は、可撓性部材２１２’（及びそこに固定される空気チャンバ（複数可）２１４’）がヒトの脚部の一部分の周囲に確実に巻き付けられるのを可能にする複数の面止め具機構（例えば、ＶＥＬＣＲＯ（登録商標）部材）を含む。図２０Ａの典型的な実施形態では、可撓性部材２１２’は、部材２１２’の反対側に配設されたより大きなループパネル領域２２６Ｂ’に面合わせする部材２１２’の身体接触面に配設された３つのフックボタン２２６Ａ１’、２２６Ａ２’、２２６Ａ３’を含む。必要に応じて、他の好適な締結手段を使用して、可撓性部材２１２’及び空気ブラダチャンバ（複数可）２１４’をヒトの脚部に固定することができる。例えば、可撓性部材２１２’は、その長さ寸法に沿って伸張するジッパーを有するスリーブのような形状を形成するように適合され得る。別の選択肢として、ジッパーを省略し、スリーブのような可撓性部材２１２’が、所望の位置に配設されるまで患者の脚部上を滑るようにすることができる。可撓性部材２１２’はまた、部材２１２’の強化された可撓性を提供する切り出し（図示せず）も含んでよい。
【００９２】
使用の間、空気が、圧送球（又は他の膨張機構）の作動により、空気チャンバ（複数可）２１４’中に圧送される。空気チャンバ２１４’は、第１の寸法（例えば、図２１Ａの垂直寸法）における長さが、それと直交する第２の寸法（例えば、図２１Ａの水平寸法）における長さよりも実質的に長く、その結果、空気チャンバ２１４’は、その長さ（垂直寸法）に沿って局所的な圧力を加えるために、脚部に沿って実質的に長手方向に延在するように位置決めされることができる。このような局所的な圧力は、チャンバ２１４’の長さに沿って実質的に一定である。
【００９３】
図に示された典型的な実施形態では、空気チャンバ２１４’は、図に示すように、長さ１３．００インチ（垂直寸法）、並びにその上端及び下端における幅、それぞれ、３．７７インチ及び３．５１インチ（水平寸法）を有する。チャンバ２１４’の幅は、上端及び下端から最小幅まで離れるように延在するにつれテーパ状となり、図に示すように、相対的に下端により近くに配置されている。空気チャンバ２１４’は、他の形状及びサイズを取ることができることを理解されるであろう。
【００９４】
図２１Ｂに示すような別の代替の実施形態では、圧迫機構２１０’’（図１９の圧迫機構Ａに対応する）の可撓性部材２１２’’及び空気チャンバ２１４’’は、それらが、上方脚部（例えば、大腿の一部分）の一部分に沿って配設されるように適合され、空気チャンバ２１４’’が、膨張時に、そのような上方脚部の一部分に局所的な圧力を加えるのを可能にする。機構２１０’’の構成要素の構造及び動作は、図２１Ａに関して上述した機構２１０’と同様であるため、そのような構成要素の記載は、説明の簡単にするため、省略する。
【００９５】
図に示される典型的な実施形態では、可撓性部材２１２’’は、上部脚部の周囲に巻き付けられるときに、それに一致するように輪郭が描かれている。空気ブラダチャンバ２１４’’は、図に示すように、長さ１１．７５インチ、及びその下端において最大の幅６．００インチ（水平寸法）を有する。チャンバ２１４’’の幅は、図に示すように、下端から上端に離れるように延在するにつれ、テーパ状となる。空気チャンバ２１４’’は、他の形状及びサイズを取ることができることを理解されるであろう。
【００９６】
図２１Ａ及び２１Ｂの実施形態のうちのどちらかのチャンバは、図２０Ｂを参照して上述したように、予充填及び封止され得ることを理解されるであろう。空気を受容するように配列された空気チャンバは、手動圧送球（図２０Ａに示すように）を使って膨張されることができ、又は空気をチャンバ中に圧送するために電池若しくはＡＣ壁電流を使用することができる電気式空気ポンプ（図示せず）によって膨張させることができることも理解されるであろう。任意の既知の空気又は流体が、手動、機械式、電気式、電池式、又は任意の他のパワー供給ポンプ若しくは圧力発生機のどれにでも使用されてもよい。膨張手段は、患者によって使用中に圧迫を提供するようにブラダ内の特定の圧力を提供するように、手動ポンプ、手押しポンプ、足押しポンプ、機械式ポンプ、電動ポンプ、電池式ポンプ、静的ポンプ、間欠ポンプ、可変ポンプ、自動ポンプ、空気圧ポンプ、負圧ポンプ、吸引ポンプ若しくは真空、パルスポンプ、又は任意の他の既知若しくは先進膨張源とすることができる。
【００９７】
圧迫機構の他の実施形態は、例えば、図１９のブラダＢ、発泡体、スポンジ又はドレッシング材Ｃ、及び吸引導管Ｄの少なくとも一部分に対応するなどの封止流体充填ブラダ、吸収性発泡体、スポンジ又はドレッシング材、及び吸引導管の組み合わせなどが可能である。
【００９８】
流体充填部材２３８は、非常に多くの方法で形成され得る。１つの構成では、流体充填部材は、好ましくは、フランジポート（図示せず）の周囲を加熱封止することによって互いに結合された２つの壁２４２Ａ、２４２Ｂを含む。この２つの壁は、その間が流体で充填されるチャンバ２４６を画定する。チャンバ２４６内に保持される流体は、気体（空気など）、液体（水など）、又はゲルとすることができる。チャンバ２４６内の流体は、抗生物質、発育因子、吸収薬などの１つ以上の治療用薬剤と一緒に混合され得る。このような構成では、底部壁２４２Ｂは、チャンバ２４６内に保持されている治療用薬剤が、チャンバ２４６内の所望の内部圧力を維持しながら、治療部位まで移動することができるような半透性材料から実現される。このような流体はまた、治療部位の加熱及び／又は冷却治療に有用である加熱及び／又は冷却を保持するゲル剤としてもよい。
【００９９】
流体充填部材２３８は、好ましくは、４〜６インチほどの長さ、２〜４インチほどの幅、及び１つのクオータ〜３つのクオータインチほどの高さを有する楕円形状を有する。十分な流体は、好ましくは、部材２３８の壁が互いに垂れ下がって接触するのを防止するように提供されることであるが、ある程度の垂れ下がりは、許容され得る。流体充填部材２３８の壁は、ポリウレタン、ポリ塩化ビニル、ナイロン、又は当技術分野で既知の他のプラスチックから形成されることができ、流体充填部材２３８は、圧迫機構によって４０ｍｍＨｇがそれに加えられたときに破裂しないように十分厚い（すなわち、十分強い）ものである。流体充填部材２３８が、他の形状及びサイズを取り得、他の材料から作製され得ることが、理解されるであろう。
【０１００】
吸収性発泡体、スポンジ、又はドレッシング材２４５（以下、「スポンジ」と称する）が、流体充填部材２３８に取り付けられる。スポンジ２４５は、創傷又は潰瘍からの滲出物を吸収する能力を有する。更に、スポンジは、好ましくは、創傷又は潰瘍からの滲出物を吸い上げる際に助けとなる開放気泡構造を有することである。スポンジ２４５は、好ましくは、流体充填部材と同様のサイズ及び形状であることである。スポンジ２４５は、好ましくは、スポンジ２４５及び流体充填部材２３８が互いから容易に離れられないように、流体充填部材の底部壁２４２Ｂに接着剤により固定されていることである。別の選択肢として、スポンジは、そのスポンジを剥がし、交換することができるように、接着フィルムにより流体充填部材２４２Ｂに軽く貼り付けてもよい。別の代替として、流体充填部材２３８は、挿入され得、要望とおりフラップへ挿入し、フラップから取り外すことができるスポンジ２４５のための周縁部保持フラップと一緒に提供され得る。必要に応じて、スポンジの周縁部は、封止材をスポンジ中に注入すること、又はスポンジの開放気泡構造をなくすことのいずれかによって封止することができる。スポンジの周縁部を封止することは、以下に説明するように、吸引がユニットに適用されるときに、空気がスポンジに入るのを低減するのに役立ち得る。
【０１０１】
ユニット２３０内の実施形態は、例えば、流体充填部材２３８とスポンジ２４５との間に提供される吸引導管２４７を含み得る。より具体的には、吸引導管２４７は、一連の孔２５１を画定する分岐された遠位端２４９を有するチューブとすることができる。孔２５１は、スポンジ２４５に向かって下方に向けられているため、負圧源が吸引導管２４７に加えられると、その負圧は、スポンジ２４５を介して創傷又は潰瘍に加えられ得る。その結果、滲出物は、毛管作用で吸い取られ、創傷又は潰瘍からスポンジ２４５を介して導管２４７に吸引され得る。別の実施形態では、吸引導管２４７の分岐された遠位端２４９は、ユニット２３０の周辺部辺りの一部のみに延在する。導管の近位端は、負圧源Ｓ（図１９に示す）に再び結合されるボトル又は容器に結合することができる。別の選択肢として、導管の近位端は、ボトル又は容器、及び負圧源に結合される細長い導管（延長チューブ）に順次結合されることができる流体結合２５９で終端されてもよい。このように、導管は、ユニットから容易に取り外すことができるため、圧力が依然として創傷又は潰瘍に加えられている間に、患者は、歩行することができ、吸引源から離れて輸送されることができる。
【０１０２】
吸引導管２４７は、流体充填部材２３８とスポンジ２４５との間に、好ましくは接着剤（図示せず）で保持されることができ、接着剤は、導管２４７の遠位端２４９の上部及び底部に塗布され、遠位端２４９を、その底部上のスポンジ２４５に、またその上部上の流体充填部材２３８に固定する。別の選択肢として、吸引導管２４７は、流体充填部材２３８及び／又はスポンジ２４５に加熱封止又はレーザ封止されてもよい。スポンジ２４５が、流体充填部材２３８から取り外し可能である実施形態では、導管２４７は、好ましくは、流体充填部材２３８の底部にのみ接着されることである。
【０１０３】
予充填空気ブラダ、スポンジ、及び吸引導管（図１９のブラダＢ、発泡体、スポンジ又はドレッシング材Ｃ、及び吸引導管Ｄに対応する）を組み込むユニットの別の実施形態は、以前の典型的な実施形態のユニット２３０’とは異なり得、すなわち、この実施形態における流体充填部材２３８’が、中央孔２３９（すなわち、それはドーナッツのような形状をしている）を画定し、吸引導管２４７’の遠位端２４９が、分岐しておらず、一連の孔を含まないが、流体充填部材２３８’の中央孔を通って延在し、スポンジ２４５’に配置された開口端部２５１’を有するという点においてである。好ましくは、吸引導管２４７’は、吸引導管２４７’の遠位端２４９’を、中央孔２３９を画定する流体充填部材２３８’の壁に固定する接着剤（図示せず）によって、中央孔２３９内の適所に保持されることである。別の選択肢として、吸引導管２４７’は、それが予充填空気ブラダ及びスポンジユニットから取り外すことができるように、摩擦又は他の手段によって適所に保持されることができる。以前の実施形態と同様に、スポンジ及び流体充填部材は、互いに強く又は弱く接着され得、又はスポンジは、スポンジを保持する流体充填部材のフランジ要素から着脱可能とすることができる。更に、スポンジは、周縁部において封止されることができる。
【０１０４】
予充填空気ブラダ、スポンジ、及び吸引導管（図１１のブラダＢ、発泡体、スポンジ又はドレッシング材Ｃ、及び吸引導管Ｄに対応する）を含むユニットの第３の実施形態が、図２２に表されている。ユニット２３０’’は、吸引導管２４７’’が、流体充填部材２３８’’とスポンジ２４５’’との間で水平に向けられ、開口端部２５１を有する遠位端２４９’’を含むことを除いて、以前の実施形態として上記で開示したユニット２３０及び２３０’と同様である。開放端部２５１’’は、好ましくは、ユニット２３０’’内の中央に配置され、下方に向けられている（すなわち、導管２４７’’の上部半分が、底部半分よりも更に延在している）ことである。吸引導管２４７’’は、流体充填部材２３８’’とスポンジ２４５’’との間に、好ましくは接着剤（図示せず）で保持されることができ、接着剤は、導管２４７’’の遠位端２４９’’の上部及び底部に塗布され、遠位端２４９’’を、その底部上のスポンジ２４５’’に、またその上部上の流体充填部材２３８’’に固定する。スポンジ２４５’’が、流体充填部材２３８’’から取り外し可能である実施形態では、導管２４７’’は、好ましくは、流体充填部材２３８’’の底部にのみ接着されることである。必要に応じて、スポンジ２４５’’は、周縁部において封止されることができる。
【０１０５】
本発明の一態様によれば、創傷又は潰瘍の上の適所にユニットを保持するための追加手段を有するユニット２３０、２３０’、及び２３０’’が、提供され得る。このため、ユニットの周辺部は、生体適合性接着剤と一緒に提供されてもよい。接着剤は、スポンジ上に提供されることができ、又は流体充填部材は、生体適合性接着剤を有するフランジ（図示せず）と一緒に提供されてもよい。別の選択肢として、並びに図２３Ａ及び２３Ｂに示すように、ストラップ２７７は、ユニットを適所に保持及び固定するための手段として提供されてもよい。一実施形態では、ストラップは、同じ材料から、また流体充填部材２３８、２３８’、２３８’’と一緒に一体化して形成され、流体充填部材の一方の側面から延在している。ストラップは、肢部Ｌを取り巻くように、十分長くなるように適合されている。ストラップの端部は、ストラップを流体充填部材の他方の側面に結合するように使用される接着剤と一緒に提供される。別の選択肢として、流体充填部材は、ストラップが引き締めのために固定され得るスロット（図示せず）と一緒に提供されてもよい。別の実施形態では、ストラップは、別個に形成され、流体充填部材に取り付けられる。この場合もやはり、ストラップの端部は、ストラップを流体充填部材の他方の側面に結合させるための接着剤と一緒に提供されてもよい。別の選択肢として、流体充填部材は、別個に形成されたストラップが引き締めのために固定され得るスロット（図示せず）と一緒に提供されてもよい。
【０１０６】
使用中、患者又は開業医は、ユニット２３０、２３０’、２３０’’を選択し、創傷又は潰瘍の上にユニットスポンジ面を置くであろう。ユニットがストラップを含む場合、ユニットは、肢部上の適所に固定されることができる。別の選択肢として、ユニットが接着剤リングを含む場合、接着剤リングが好ましくは、創傷又は潰瘍と反対側の健康な皮膚上に置かれるように、ユニットが配置される。ひとたびユニットが配置されると、他の実施形態の適切な圧迫機構１０、１１０、２１０、２１０’、２１０’’が、ユニット２３０、２３０’、２３０’’上に配置された他の実施形態の空気チャンバ１４、２１４、２１４’、２１４’’、１１４と共に肢部上に取り巻かれる。所望の場合、空気チャンバは、加圧され（又は圧力がラップの固定によって加えられる）、圧力は、圧迫機構により、肢部及びユニットに加えられる。ユニットへの加圧は、特定の圧力を創傷又は潰瘍に加え、治療プロセスの助けとなる。また、所望の場合、吸引チューブ２４７、２４７’、２４７’’を介して、負圧源をユニットに加えることによって、吸引が、創傷又は潰瘍に適用される。スポンジが周縁部において封止される場合、滲出物を移動させるのに必要な吸引量は、少なくなる。吸引及び圧力は、一緒に又は単独で（交互に）適用することができ、又は必要に応じて、一方若しくは他方が一定に適用され、かつ他方がオン及びオフを繰り返してもよい。一緒に適用されるとき、正の機械的圧力は、圧迫機構及びユニットによって創傷又は潰瘍に加えられ、これに対して、負の空気圧力は、負圧源によりスポンジを介して創傷又は潰瘍に加えられ、それによって、滲出物を除去し、更に治療プロセスの助けとなる。更に、必要に応じて、圧力センサ（図示せず）が、ユニット２３０、２３０’、２３０’’と一緒に組み込まれ、電気的に吸引源Ｓに結合されてもよく（典型的には、ワイヤを介して、図示せず、吸引チューブ２４７、２４７’、２４７’’に沿って走る）、そこでは、吸引源Ｓは、オン／オフ制御（図示せず）を有する。このように、負圧源Ｓは、センサ（図示せず）により検知されると、圧迫機構及びユニットにより加えられた機械的圧力の関数としてオン及びオフされることができる。このため、圧力が所望の閾値を越える場合、吸引はオンされ得、圧力がそれ未満の場合、又はより低い閾値未満の場合、吸引はオフされ得、又は、必要に応じて、圧力が所望の閾値を越える場合、吸引はオフされ得、圧力がそれ未満の場合、又はより低い閾値未満の場合には、吸引はオンされ得る。圧力センサ（図示せず）は、流体充填部材２３８、２３８’、２３８’’と、スポンジ２４５、２４５’、２４５’’との間に、又はスポンジ内に、又は流体充填部材の表面上に配置されることができる。空気チャンバ１４、１１４、２１４、２１４’、２１４’’、又は可撓性部材１２、１１２、２１２、２１２、２１２’、２１２’’の他の実施形態、又は他の実施形態と関連付けられ得る。
【０１０７】
スポンジが、流体充填チャンバから分離可能である場合、スポンジは、所望の間隔で交換されることができる。分離可能でない場合は、ユニット全体が、必要に応じて、交換されることができる。ユニットが流体結合を有する場合、吸引チューブは、ユニットの交換前に取り外され得る。このユニットは、治療用圧迫装置１０、１００、２００、３００、４００、及びアセンブリ３１０の下に配置されることができるため、負圧は、ＣＶＩ、ＤＶＴ及び／又はリンパ浮腫の治療のための圧迫と結合される。
【０１０８】
説明及び例示、並びに非限定のために、本発明の別の典型的な実施形態が、治療用圧迫装置２００を含めて、図１８〜図２４に示されており、かつ、又は本発明によるそれらの態様が、図１８〜図２４に示され、概ね参照文字２００によって指定されている。本発明による別の典型的な実施形態、又はそれらの態様が、図２５〜図３４に示されており、概ね参照文字３００によって指定され、またアセンブリは、３１０により指定されている。
【０１０９】
図２４を参照すると、断続圧力を、脚部などの人体の一部分に提供するための膨張手段を含む治療用圧迫装置３００の別の実施形態が示されており、この装置は、血流及び排液を促進し、静脈潰瘍又は創傷を含む様々な状態を治療する。この実施形態では、この装置は、主ブラダ３１２及び副ブラダ３１４を利用し、各ブラダは、膨張により流入する流体を収容できる膨張可能なチャンバ３１２ａ、３１４ａを有する。ブラダ３１２、３１４は、流体導管３１６によって流体結合され、流体導管は主ブラダ３１２及び副ブラダ３１４にそれぞれの端部３１６ａ、３１６ｂにおいて取り付けられ、それによって、流体が主ブラダ３１２及び副ブラダ３１４の間を前後して流れることを可能にする。以下に更に検討される好ましくて代替の実施形態において説明されるように、２つのブラダ３１２、３１４のうちの一方が断続的な収縮を起こすと、２つのブラダ３１２、３１４のうちの他方に断続的な膨張、及び圧力の増大が生じる。
【０１１０】
図２５Ａ〜図２５Ｃを参照すると、主ブラダ３１２が、最もよくわかる。主ブラダ３１２は、下部壁３２０、及び下部壁３２０のフランジ部３２４上に、好ましくは治療封止により一緒に結合された上部壁３２２を有する。下部壁３２０及び上部壁３２２は、その間にある膨張可能なチャンバ３１２ａを画定する。上部壁３２２は、フランジ部３２４から直角に延在し、側壁３２６を形成し、次いで、通常下部壁３２０と平行である頂部壁３２８を形成するように湾曲している。フランジ部分３２４を含む下部壁３２０、及び上部壁３２２は、可撓性であるため、下部壁３２０は、脚部の表面輪郭に一致するように曲げることができる。材料の下層３３０は、主ブラダ３１２の下部壁３２０上に任意選択で提供されている。下層３３０は、好ましくは、汗、膿、又は他の流体を吸収し、創傷に対してより繊細な接触表面を提供する半透過性材料（例えば、スポンジ）である。必要に応じて、接着剤フィルムが、フランジ部分３２４上に設けられ、主ブラダ３１２を脚部に固定するのに役立ち得る。
【０１１１】
一実施形態では、主ブラダ３１２は、膨張可能なチャンバ３１２ａの内側に第１の端部３１８ａ、及び膨張可能なチャンバ３１２ａの外側に第２の端部３１８ｂを有する上部壁３２２を貫通して延在するノズル又はコネクタ要素３１８を有する。ノズル３１８は、流体導管３１６（図２４）の第１の端部３１６ａにおいて流体導管３１６を受容する。ノズル３１８の第２の端部３１８ｂは、気密封止がノズル３１８と上部壁３２２との間に設けられる限り、別の選択肢として、膨張可能なチャンバ３１２ａの外側ではなく、側壁３２６と同じ高さに配置されることができる。ノズルは、好ましくは、流体導管３１６がノズル３１８中に挿入されているときに限り、内部弁（図示せず）と一緒に設けられるが、流体導管３１６がノズル３１８から取り外された場合、その内部弁は、閉じ、流体の漏れを防止する。図２５Ｃに示すように、ノズル３１８は、好ましくは、下部壁３２０と平行である上部壁３２２の側壁３３２６部分を貫通して延在するため、主ブラダ３１２が脚部上の創傷を覆うように置かれたときに、ノズル３１８は、脚部の表面と主に平行である方向に延在する。脚部の表面と平行であるノズル３１８が、脚部の表面と直交する隆起又は突出部を作り出すことを防止するという条件では、以下に更に検討するように、主ブラダ３１２が脚部に取り付けられるとき、ノズルは、直接ノズル３１８の下の脚部の領域上に追加圧力を作り出すことができる。更に、脚部の表面と平行であるノズル３１８を維持することは、脚部の表面と主に平行である方向に主ブラダ３１２との流体導管３１６の取り付け、すなわち被服が主ブラダ３１２をより容易に覆うことができる構成を容易にするであろう。
【０１１２】
別の実施形態では（図示せず）、主ブラダ３１２は、ノズル３１８を含まない。その代わり、流体導管３１６の第１の端部３１６ａが、主ブラダ３１２と一体形成され、その結果、流体導管３１６は、主ブラダ３１２から切り離せない。任意選択の一方向弁６８が、以下に説明しているように、提供されている。指定しなかった場合には、そのシステムは、製造工程中に加圧されるクローズドシステムであり、したがって、主ブラダ３１２、又は装置１０の任意の他のコンポーネントが、その動作前に加圧される必要はない。
【０１１３】
図２５Ａ〜２５Ｃを参照すると、主ブラダ３１２は、主ブラダ３１２を脚部の下部に固定するために脚部の周囲に延在するように設計された複数のストラップ３３２を任意選択で装備されている。ストラップ３３２は、脚部の周囲に巻き付けた後に互いに重ね合わせて取り付けるＶｅｌｃｒｏ部分３５６（図２５Ａ）を含むことができる。ストラップ３３２はまた、弾力のある品質を有し、それらが脚部の周囲に巻き付けられたときに、軸方向に向かう圧迫力を生み出すことができる。一実施形態では、ストラップ３３２が、脚部の周囲を通過した後に膨張可能なチャンバ３１２ａを覆うように張力で巻き付けられるため、ＶＥＬＣＲＯ（登録商標）部３５６が接続されると、ストラップ３３２は、膨張可能なチャンバ３１２ａの上に連続した圧迫力を加える。他の実施形態では（図示せず）、ストラップ３３２は、脚部の周囲に水平に固定され、又は主ブラダ３１２上を交差して、主ブラダ３１２を脚部に固定し、外側に膨らむ膨張可能なチャンバ３１２ａに抵抗力を与え、したがって、更に以下に検討するように、付加流体が膨張可能なチャンバ３１２ａ中に押し出されると、創傷領域上に圧力を加えることができる。
【０１１４】
流体主ブラダ３１２の下部壁３２０、上部壁３２２、及び下層３３０は、様々な形状でかつ様々な材料から形成されることができるが、可撓性プラスチック又はゴムが好ましく、その結果、流体主ブラダ３１２が、特定の輪郭、及び所与の脚部の湾曲に適応するように曲がることができる。主ブラダ３１２のサイズは、変化してもよく、様々なサイズが、創傷のサイズ及び位置に応じて選択されてもよい。流体主ブラダ３１２の上部壁３２２は、好ましくは、可撓性及び弾力性のあるプラスチック（例えば、ポリウレタン、ポリ塩化ビニル（ＰＶＣ）、又はポリプロピレン）などの材料から作製され、これらの材料は、形状を変え、追加流体がその内部に進入するにつれて膨張可能なチャンバ３１２ａの容積を増大させることができる。上部壁３２２の材料は、圧力が膨張可能なチャンバ３１２ａ内部で増大するにつれ、圧力は、上部壁３２２によって吸収されず、却って壁を介して脚部に伝達されるように、非剛性である必要がある。装置１０全体の一部としての主ブラダ３１２の動作は、以下により詳細に検討される。
【０１１５】
流体副ブラダ３１４は、図２６を参照すると、最もよくわかる。副ブラダ３１４は、フランジ３４２を有する下部壁３３４、並びに側壁３３８及び頂部壁３４０を形成する上部壁３３６を有する。流体副ブラダ３１４は、主ブラダ３１２と同様に形成されてもよい。下部壁３３４及び上部壁３３６は、好ましくは、下部壁３３４のフランジ３４２上で加熱封止によって、互いに結合される。上部壁３３６及び下部壁３３４は、膨張可能なチャンバ３１４ａを画定する。上部壁３３６は、フランジ３４２から直角に延在して側壁３３８を形成し、湾曲して頂部壁３４０を形成し、通常、上部壁は下部壁３３４と平行である。フランジ３４２を含む下部壁３３４、及び上部壁３３６が、可撓性を有するため、下部壁３３４は、足首の表面輪郭に一致するように曲げることができる。
【０１１６】
一実施形態では、図２７に示すように、副ブラダ３１４は、かかとに一致する曲げ構成で着用されている。副ブラダ３１４の膨張可能なチャンバ３１４ａのサイズ及び形状は、非常に変化する可能性があり、例として、長さ約３〜６インチ、幅約１と半分〜３インチ、及び膨張時の高さ約４分の１クオータ〜１ハーフインチの間であるが、これに限定されない。膨張可能なチャンバ３１４の形状は、好ましくは、足部又はかかとの形状に一致する。材料の下層３４４は、副ブラダ３１４の下部壁３３４に、任意選択で設けられている。流体副ブラダ３１４が、それをカバーするどんな履き物もなしで着用される場合には、下層３４４は、かかと用追加緩衝材を設けることができ、及び／又は下部壁３３４よりも大きい静摩擦係数を有する滑り止め表面を設けることができる。流体副ブラダ３１４はまた、上げ下げして着用することができ、膨張可能なチャンバ３１４ａは、その外側に動作可能に配設され、下層３４４は、かかとと直接接触してその内側に配設されている。以下に更に詳細に検討するように、副ブラダ３１４の主な機能が、通常の歩行運動中に流体を主ブラダ３１２中に圧送し、流体を主ブラダ３１２から逆に受容することであるため、下層３３０は、これらの構成のいずれかで任意選択可能である。
【０１１７】
一実施形態では、副ブラダ３１４は、膨張可能なチャンバ３１４ａの内側の第１の端部３４６ａ、及び膨張可能なチャンバ３１４ａの外側の第２の端部３４６ｂを有する上部壁３３６を貫通して延在するノズル又はコネクタ要素３４６を有することができる。ノズル３４６は、流体導管３１６の第２の端部３１６ｂにおいて（図２４）流体導管３１６を受容する。ノズル３４６は、好ましくは、内側弁（図示せず）と共に設けられ、その内側弁は、流体導管３１６がノズル３４６に挿入されている限りでは開放され、流体導管３１６がノズル３４６から取り外されている場合には、閉止し、流体の漏洩を防止する。ノズル３４６は、好ましくは、下部壁３３４と平行である上部壁３３６の側壁３３８部分を貫通して延在するため、副ブラダ３１４が脚部の後部と概ね平行である上方の方向に延在するノズル３４６を有する構成中に曲げられる。
【０１１８】
別の実施形態では、副ブラダ３１４は、ノズル３４６を含まない。その代わり、流体導管３１６の第２の端部３１６ｂが、副ブラダ３１４と一体形成され、その結果、流体導管３１６は、副ブラダ３１２から切り離せない。上述のように、任意選択の一方向弁３６８が、以下に説明しているように、提供されている。提供されない場合には、システムは、製造工程中に加圧されるクローズドシステムであり、したがって、副ブラダ３１４、又は装置１０の任意の他のコンポーネントが、その動作前に加圧される必要はない。
【０１１９】
図２７に示すように、上述した曲げ構成では、副ブラダ３１４の膨張可能なチャンバ３１４ａは、圧迫部分３４８及び接続部分３５０に分割されているように説明され得る。副ブラダ３１４は、足部のかかと（更に以下に検討されている）に取り付けられ、膨張可能なチャンバ３１４ａの圧迫部分３４８は、かかとの下に直接動作可能に配設され、これに対して、接続部分３５０は、脚部（図２７）の方向と概ね平行である方向に向けられている。圧迫部分３４８に垂直である接続部分３５０の方向に延在するノズル３４６を配置することは、使用者が歩行の間に圧迫部分３４８を踏むときにノズル３４６が圧迫されるのを防止する。更に、圧迫部分３４８に垂直である方向にノズル３４６を配置することは、流体導管３１６が脚部と平行である副ブラダ３１４に取り付けるのを可能にし、流体導管３１６が、人が歩行している間に足首又は脚部により圧迫されるのを防止する。
【０１２０】
副ブラダ３１４は、好ましくは、足部の周囲に巻き付けて流体副ブラダ３１４を足部の下部に固定する少なくとも２つの前方及び／又は後方のストラップ３５２、３５４を装備されている。ストラップ３５２、３５４は、好ましくは、脚部の周囲に巻き付けた後に互いに重ね合わせて取り付けるＶｅｌｃｒｏ部分３６０を含む。前方ストラップ３５２は、加熱封止、接着、縫い込み、又は他の同等手段により、副ブラダ３３６の下部壁３３４又はフランジ３４２に取り付けられている前方フラップ３５８から延在している。前方ストラップ３５２は、前方フラップ３５８から離れて延在する。後方ストラップ３５４は、加熱封止、接着、縫い込み、又は他の同等手段により、副ブラダ３１４のフランジ３４２又は下部壁３３４のどちらかに直接接続している。後方ストラップ３５４は、副ブラダ３１４の後方部分から開始し、脚部の前方にある足部の上部に向かって引っ張り上げられ、足部の上部の上に巻き付けることができる。後方ストラップ３５４はまた、足部の上部で互いに重ね合わせて取り付けるＶＥＬＣＲＯ（登録商標）部分（図示せず）を有する。一実施形態では、前方及び後方ストラップ３５２、３５４は、足部の上部の上を張力で巻き付けられ、膨張可能なチャンバ３１４ａがかかとに固定して配置されるときに、連続的な圧迫力が、膨張可能なチャンバ上に加えられる。後方ストラップ３５４は、接続部分３５０から上方に延在するノズル３４６が圧迫されるほどきつく引っ張られるべきではない。
【０１２１】
副ブラダの様々な実施形態は、膨張可能なチャンバ３１４ａ’及びノズル３４６を有する三日月形状、又は膨張可能なチャンバ３１４ａ’’及びノズル３４６’’を有する矩形形状を含んでもよい。副ブラダ３１４’及び３１４’’は、かかとに取り付け、その結果、各膨張可能なチャンバ３１４ａ’、３１４ａ’’の大部分が、足部のかかと及び下部の下に動作可能に配設されている。このような実施形態では、膨張可能なチャンバは、圧迫部分３４８及び接続部分３５０に分割されず、その理由は、かかとが地面を打つときに、膨張可能なチャンバの一部のほとんどが圧迫されるからである。
【０１２２】
すべての実施形態では、流体が歩行運動により副ブラダから押し出されるときに、主ブラダが副ブラダの流体のすべてを収容することができるように、副ブラダ内の流体の量が選択される。好ましくは、システムは、主ブラダが概ね３０〜４０ｍｍＨｇの一定の圧力を創傷部位に加えるように配列され、流体が歩行運動により副ブラダから押し出されるときに、主ブラダ内の圧力は、追加の１０〜２０ｍｍＨｇだけ増大する。より高い断続的な圧力（例えば、８０ｍｍＨｇ）を許容することは可能であるが、最大圧力５０〜６０ｍｍＨｇが好ましい。
【０１２３】
図２６、及び上述の他の可能な実施形態では、流体導管３１６は、副ブラダ３１４’、３１４’’の膨張可能なチャンバ３１４ａ’、３１４ａ’’に貼り付けられることができる。別の選択肢として、副ブラダ３１４’、３１４’’は、膨張可能なチャンバの内側の第１の端部、及び膨張可能なチャンバの外側の第２の端部を貫通して延在するノズル又はコネクタ要素３４６’、３４６’’と一緒に設けられることができる。ノズルの第２の端部は、好ましくは、ノズル３４６’、３４６’’が、立っている位置に、又は歩行運動の間に足部によって押しつぶされないように、かかとの後ろに配設されている。
【０１２４】
図２６に示すように、副ブラダ３１４’’は、前方及び後方のストラップ３５２’’、３５４’’と一緒に設けられることができ、それらは、短くされ、足部（又は靴下）に直接取り付けるためにストラップ３５２、３５４の端部に配置された接着部分３６６と一緒に設けられている。
【０１２５】
流体導管３１６がブラダ３１２、３１４と一体形成され、恒久的に接続された本発明の実施形態では、装置１０は、クローズドシステムである。このような実施形態は、ブラダ３１２、３１４の、又は使用前の流体導管３１６のいずれかの加圧を必要としない。逆に、装置１０の製造工程の間に、流体導管３１６の端部３１６ａ、３１６ｂは、流体結合され、膨張可能なチャンバ３１２ａ、３１４ａと共に気密封止を形成する。膨張可能なチャンバ３１２ａ、３１４ａのうちの一方又は両方の加熱封止の間、タイヤシステム内に閉じ込められた流体の量が、制御される。別の選択肢として、一方向弁／ノズル３６８が設けられる場合には、流体導管３１６が恒久的にブラダ３１２、３１４に取り付けられ、治療用圧迫装置３００及びアセンブリ３１０の加圧は、逆止弁又は安全弁などの一方向弁／ノズル３６８の手段により行われ得る。一方向弁／ノズル３６８は、空気ポンプなどの流体源に接続することによって、治療用圧迫装置３００及びアセンブリ３１０を所望の圧力に加圧するのに使用される。ひとたび所望の圧力（それは、環境の空気圧力とすることができる）が到達されると、流体源は、一方向弁３６８から取り外され、閉止する。そのような実施形態では、ノズル３１８、３４６は、治療用圧迫装置３００及びアセンブリ３１０がクローズドシステムであるため、不要である。流体は、流体導管３１６を介して（治療用圧迫装置３００及びアセンブリ３１０が、以下に検討される方法で動作されるにつれ変化するブラダ３１２、３１４の各々における圧力を伴って）ブラダ３１２、３１４の間を自由に流れるが、付加流体は、装置１０中には許容されない。本明細書で検討したように、装置１０は、足部及び主ブラダ３１４、３１２を足部及び脚部に取り付けることによって、身体に固定されている。逆止弁又は安全弁などの一方向弁３６８は、別の選択肢として、流体導管３１６上ではなく、ブラダ３１２、３１４の膨張可能なチャンバ３１２ａ、３１４ａのうちのいずれかの上に配置されてもよい。
【０１２６】
他の実施形態では、流体導管３１６は、主ブラダ３１２及び副ブラダ３１４のノズル３１８、３４６に取り外し可能に接続されている。このような実施形態では、流体導管の端部３１６ａ、３１６ｂは、ノズル３１８、３４６を貫通して挿入され、気密状態で主ブラダ３１２を副ブラダ３１４と流体結合することができる。流体導管３１６とノズル３１８、３４６との間の気密接続は、雄及び雌ねじ表面、バヨネットロック、又は当技術分野で既知の他の同等な手段によって実現することができる。ノズル３１８、３４６は、流体導管３１６を取り付ける前又はその後に膨張可能なチャンバ３１２ａ、３１４ａのうちのどちらか又は両方を加圧するための二方向弁（図示せず）を収容することができる。流体導管３１６は、好ましくは、ゴム又はプラスチックから作製され、例として、また限定する例ではないが、１／４〜１／２インチの範囲内の直径、２〜１２インチの範囲内の長さ、及び１／８〜１／２インチの範囲内の厚さの壁を有する。この壁の厚さは、圧力が治療用圧迫装置３００及びアセンブリ３１０の動作全体にわたって流体導管内部で変化するため、流体導管３１６の膨張を防止又は最小化するように推奨される（すなわち、チューブは、好ましくは、６０ｍｍＨｇの圧力、膨張がない場合は、それ以上の圧力に耐えることができる）。
【０１２７】
流体導管３１６がブラダ３１２、３１４に恒久的に取り付けられる実施形態では、本明細書で説明したように、治療用圧迫装置３００及びアセンブリ３１０は、足部及び主ブラダ３１４、３１２を足部及び脚部に単純に取り付けることによって組み立てられる。追加の組み立ては、必要ではない。
【０１２８】
流体導管３１６が、ブラダ３１２、３１４に取り外し可能に接続されている実施形態では、装置は、最初に足部及び主ブラダ３１４、３１２を足部及び脚部に取り付けた後に流体導管３１６をノズル３１８、３４６に接続するか、又は最初に流体導管３１６を足部及び主ブラダ３１４、３１２を接続した後に足部及び主ブラダ３１４、３１２を足部及び脚部に接続するか、のどちらかによって組み立てられることができる。このような実施形態では、流体は、空気ポンプなどの流体源から、ノズル３１８、３４６を介して、主ブラダ３１２の膨張可能なチャンバ３１２ａ、又は副ブラダ３１４の膨張可能なチャンバ３１４ａのいずれか（又は両方）に供給される。流体が供給されるにつれ、ブラダ（複数可）３１２、３１４は、膨張し、加圧する。流体源がノズル３１８、３４６から取り除かれると、ノズル内の弁は、各ブラダ３１２、３１４における圧力を維持するであろう。次いで、流体導管３１６は、２つの端部３１６ａ、３１６ｂのうちの一方において締め付けられ得、これに対して、２つの端部３１６ａ、３１６ｂのうちの他方は、ノズル３１８、３４６のうちの１つに結合される。流体導管３１６は、それが内部に入ると、ノズル内の弁を開放する。次いで、流体導管３１６の締め付けられた端部は、他方のノズルに結合され、そのノズルは、そのノズル弁を開放し、次いで装置１０は、動作の準備が整う。治療用圧迫装置３００及びアセンブリ３１０の内側で使用される流体は、空気、液体、又は、所望の流体源に応じて、所望の圧力、及び使用された特定の材料の両方の組み合わせとすることができる。
【０１２９】
本発明の更に別の実施形態では、主ブラダ３１２は、共有された米国特許第７，２７６，０３７号による１つの開示などの可撓性脚部ラップ装置３７０によって脚部上に配置されており、その開示は、参照によりその全体が本明細書に組み込まれる。脚部ラップ装置３７０が、図２８Ａ〜図２８Ｂに示されており、可撓性ラップ部材３７３に固定された膨張可能な空気ブラダチャンバ３７２を有する。可撓性部材３７３は、可撓性部材３７３の内側表面上に動作可能に配設された空気ブラダチャンバ３７２と一緒に巻き付けられた構成で脚部の周囲に巻き付けるように設計され、その結果、可撓性部材３７３は、脚部の大きな領域の上に圧力を加える。この実施形態では、ストラップ又は他の取り付け手段が、主ブラダ３１２に接続される必要がなく、その理由は、可撓性部材３７３が脚部上に主ブラダ３１２を配置すること（主ブラダ３１２が、膨張可能な空気ブラダチャンバ３７２と脚部との間に挟まれている）、及び追加圧力を脚部の他の領域に加えることの２つの機能の役割を果たしているからである。
【０１３０】
一実施形態では、脚部及び副ブラダ３１２、３１４の膨張可能なチャンバ３１２ａ、３１４ａは、予充填され、その結果、それらが脚部及び足部に固定され、脚部ラップ装置３７０と併用して使用されるとき、脚部ラップ装置により、患者が横たわっているか又は歩行しながら足部を上げるとき（すなわち、足部が副ブラダ３１４を圧迫していないとき）に、主ブラダ３１２が、実質的に収縮するのを可能にする。そのような実施形態では、主ブラダ３１４から副ブラダ３１２に移動する流体により、副ブラダ３１２の膨張可能なチャンバ３１２ａが、その最大容量の１つの約半分〜３クオータに膨張することを可能にすることが好ましい。これらの実施形態では、患者が横たわっているか又は歩行しながら彼又は彼女の足部を上げる間中、脚部ラップ装置３７０のみが、患者の伏在静脈上に圧力を加える。副ブラダ３１４が、標準的な歩行運動中に圧迫されている場合、流体は、副ブラダ３１４から主ブラダ３１２に環流され、内部の圧力を増大させる。この断続的なオン及びオフ圧迫は、主ブラダ３１２及び脚部ラップ装置３７０の下にある患者の脚部上に配設された潰瘍に血行を促進するのに役立つ。
【０１３１】
膨張可能な空気ブラダ３７２は、圧力計、及び、膨張可能な空気ブラダチャンバ３７２に結合された自動圧力安全弁と共に任意選択で設けられ、その自動圧力安全弁は、内部圧力が閾値最大圧力に到達したときに、チャンバ３７２から周囲環境に空気を通気する。例えば、治療用圧迫装置３００及びアセンブリ３１０は、いずれかの実施形態でも上述したように、脚部及び足部に取り付けられることができる。次いで、可撓性部材３７３は、脚部の周囲に、及び膨張可能なチャンバ３１２ａに接触し、その上に圧力を加える空気ブラダチャンバ３７２を有する主ブラダ３１２の上に、張力で巻き付けられる（図２８Ａ及び図２８Ｂ）。治療用圧迫装置３００及びアセンブリ３１０の動作中に、膨張可能な空気ブラダ３７２が閾値最大値より高くなった場合、自動圧力安全弁が、チャンバ３７２から空気を解放し、可撓性部材３７３内の張力を低減する。可撓性脚部ラップ装置３７０は、本明細書に開示されたすべての装置１０の実施形態と併用して使用されることができる。
【０１３２】
ひとたび治療用圧迫装置３００及びアセンブリ３１０が、上述のように、組み立てられ、人に締結されると、治療用圧迫装置３００及びアセンブリ３１０は、人が歩いているときも動作する。標準的なかかとが歩行の足指運動を持続する間、副ブラダ膨張可能なチャンバ３１４ａの圧迫部分３４８は、かかとと地面との間で圧搾され、チャンバは、外部圧力を内部の流体出力のすべて又は大部分に強制する圧迫部分３４８に加える（すなわち、副ブラダ３１４の膨張可能なチャンバ３１４ａの圧迫部分３４８は、かかとが地面を打ったときに、収縮する）。したがって、流体は、膨張可能なチャンバ３１４ａの接続部分３５０を通って、流体導管３１６中及び経由して、主ブラダ３１２中に押し出される。主ブラダ３１２の膨張可能なチャンバ３１２ａは、膨張して流体を収容する。膨張可能なチャンバ３１２ａが膨張すると、膨張可能なチャンバ３１２ａの側壁３２６は、主ブラダのストラップ３３２、及び／又は脚部ラップ装置３７０の可撓性部材３７３に対して押圧する。ストラップ３３２及び／又は可撓性部材３７３は、張力で脚部に確実に締結され、好ましくは、膨張可能なチャンバ３１２ａの上部の上に延在し、側壁３２６の屈曲又は外側への反りに対する抵抗力を提供し、膨張可能なチャンバ３１２ａの容量増大を制限する。したがって、膨張可能なチャンバ３１２ａに流入する追加流体は、内部の圧力を増大させる。この増大した圧力は、下部壁３２０及び／又は下層３３０を介して脚部に伝達される。
【０１３３】
人の足部が、かかとから足指に回るとき、人の体重からの外部圧力は、かかとから取り除かれる。その時点で、主ブラダ３１２の流体導管３１６及び膨張可能なチャンバ３１２ａ内の圧力は、副ブラダ３１４の膨張可能なチャンバ３１４ａ内の圧力よりも高い。平衡状態にあるため、圧力は等しくなり、主ブラダ３１２内の流体の一部分は、流体導管３１６を介して副ブラダ３１４の膨張チャンバ３１４ａ中に環流し、副ブラダの膨張チャンバは、内部の圧力が主ブラダ３１２及び流体導管３１６の圧力に等しくなるまで、その元の状態に膨張して戻る。この工程は、人が歩行するとき、繰り返され、歩行は、主ブラダ３１２内の圧力が増減するときに、主ブラダ３１２が配置された脚部の創傷領域上に圧送力又は混練力を作り出し、これにより、脚部の様々な部分への血流、排液、治療、及び治癒を促進する。
【０１３４】
主ブラダ３１２の膨張可能なチャンバ３１２ａ内の圧力は、いくつかの要因によって、影響を及ぼされる。主ブラダ３１２が、脚部上に配置される前に加圧される場合、膨張可能なチャンバ３１２ａ内部の圧力は、それがストラップ３３２の固定前に脚部上に配置されたときに増大し、その理由は、下部壁３３２０が湾曲して脚部の形状に適合するにつれ、膨張可能なチャンバ３１２ａの容量がわずかに減少するからであることに留意されたい。ストラップ３３２は、それらがそこに固定されているため、膨張可能なチャンバ３１２ａ上の圧力を更に増大させる。更に、流体導管３１６が取り外し可能である実施形態では、装置１０内の圧力は、主ブラダ３１２及び副ブラダ３１４のうちの１つ若しくは両方を加圧することによって、又はより長い若しくはより広い流体導管３１６を使用し、このことが装置１０の内部容量を増大させることによって、変化することができる。圧力はまた、ストラップ３３２が脚部の周囲に巻き付けられ、かつ／又は膨張可能なチャンバ３１２ａの上に配置されている締まり具合、及びストラップ３５２、３５４が足部に巻き付けられ、かつ／又は膨張可能なチャンバ３１４ａの上に配置されている張力の関数として変化し得る。例えば、脚部周囲のストラップ、及び／又は主ブラダ３１２の膨張可能なチャンバ３１２ａの張力がより高いほど、脚部上の内側に向けられたより高い（最小の）圧迫力を生み出す。膨張可能なチャンバ３１２ａを膨張させる装置１０は、膨張可能なチャンバ３１２ａが膨張するにつれて、脚部上に更なる圧力を生成し、ストラップからの抵抗力を受け、対応する容積が増加することなく流体を充填し続ける。
【０１３５】
本発明に基づいて構成された治療用圧迫装置４００である、本発明の更なる別の実施形態が図２９に示されおり、治療用圧迫装置４００内に一体形成された圧迫ブラダ４０２を示す。この場合には、圧迫ブラダ４０２は、主及び副ラップ４０３、４０４の両方の内部の１つのブラダである。治療用圧迫装置４００は、主ラップ４０３（ふくらはぎラップなど）及び副ラップ４０４（副ラップ４０４など）の使用を介して例えば下腿などの患者の肢部の周囲に巻き付けるように構成及び適合され、そのラップの各々は、連続した外側シート４０８及び内側シート４０６から形成される。治療用圧迫装置４００は、例えば下腿などの患者の肢部の周囲に適合し、ブラダ４０２を介して圧迫を提供するように構成及び適合されている、近位端部（図２９Ａ及び２９Ｂに配向されている上部）、及び反対側の遠位端部（図２９Ａ及び２９Ｂに配向されている下部）を有するラップ部材であり、そのラップ部材は、治療用圧迫装置４００内の主ブラダ、又は単一のブラダであり得る。本発明の一実施形態では、内側シート４０６及び外側シート４０８は、互いにＲＦ溶接されるように構成及び適合されているナイロン積層ポリウレタンシートから作製されている。しかしながら、溶接可能であるか、又はそれ以外の方法では気密である間に接合されるかの任意の他の好適な材料を使用することができる。連続した周辺溶接線４１０は、一体形成されたブラダ４０２の気密境界を形成する。この典型的な実施形態では、ブラダ４０２は、主ラップ４０３及び副ラップ４０４全体にわたって単一の連続したブラダである。しかしながら、副ラップ４０４は、別個に膨張可能であるか、又は一方向弁若しくは他の所望の膨張／収縮構成を介して膨張可能であるかのいずれかの独立したブラダを有し得ることが想定される。副ラップ４０４はまた、主ラップ４０３から異なる圧力を提供するように構成及び適合され得る。典型的な実施形態では、副ラップ４０４内に配置されたブラダ４０２は、患者の足部の下側に沿って配置されるように構成及び適合される。副ラップ４０４内のブラダ４０２は、所望に応じて調節され、患者の足部の所望の部分に圧迫を提供することができる。
【０１３６】
面ファスナ４２４は、患者の下腿及び足部上の治療用圧迫装置４００を容易に調節及び固定するために、内側及び外側シートのエッジに沿って設けられている。また、治療用圧迫装置４００は、ジッパー、ボタン、又は他の係る好適な手段により成形されたカフスなどの他の手段によって患者の下腿に固定され得ることが想定される。更に、面止め具４２４は、以下に説明される足首ストラップ４２２の材料と同様の材料で置き換えることができ、着心地よさを改善するためにブラダ４０２に溶接／縫製／取り付けが可能であることも想定される。
【０１３７】
本発明の一実施形態では、膨張手段７００は、膨張ポート５００に取り付けてブラダ４０２を膨張させることができる手押しポンプである。また、機械的又は自動膨張ポンプ（図示せず）が、ブラダ４０２を膨張及び収縮させるための膨張ポート５００に取り付けられ、脈動圧力を使用者の下腿に提供することが可能であることを理解されたい。ブラダ内の特定圧力を提供し、したがって患者によって使用時に圧迫を提供するように、いくつかの又は様々な膨張手段、例えば、手動ポンプ、手押しポンプ、足押しポンプ、機械式ポンプ、電動ポンプ、電池式ポンプ、静的ポンプ、間欠ポンプ、可変ポンプ、自動ポンプ、空気圧ポンプ、負圧ポンプ、吸引ポンプ若しくは真空、パルスポンプ、又は任意の他の既知若しくは先進膨張源が使用され得るが、これらに限定されない。通気弁がまた、治療用圧迫装置４００中、又は膨張手段７００と一緒に組み込まれて、使用者がブラダ４０２を選択的に収縮させることができる。更に、逆止弁又は安全弁が、膨張手段７００又はブラダ４０２のいずれかと一緒に組み込まれ、ひとたび最大圧力が検出されると、過剰膨張を防止する。安全弁の例が、米国特許第７，２７６，０３７号及び米国特許第７，８５０，６２９号に記載されており、それらの開示は、参照によりその全体が本明細書に組み込まれる。更なる例が、図３０Ａ及び３０Ｂに示されている。
【０１３８】
本発明の別の実施形態では、治療用圧迫装置４００は、最初にブラダ４０２を内側シート４０６及び外側シート４０８内に一体化して形成することによって形成され得、その位置及び所望の予め構成された圧迫勾配プロファイルが、コスト効率よく得ることができる。ブラダ構成のいくつかの異なる実施形態は、上述した構成などの本発明の治療用圧迫装置内で使用することができる。別の実施形態では、治療用圧迫装置４００は、内部に複数のスポット溶接４１４を伴うブラダ４０２を有してもよい。スポット溶接４１４は、患者の治療部位において必要となる圧迫に対する所望の勾配プロファイルに基づいて、最大限の効果が得られるように、所定のパターンでブラダ４０２内に配置されることができる。スポット溶接４１４により、膨張ポート５００を介して膨張したときに、ブラダ４０２が、勾配プロファイルを画定することを可能にする。ブラダ４０２内のスポット溶接４１４の幾何学的配置により、ブラダ４０２の特定の部分の膨張を増大させ、ブラダ４０２内に１つ以上の流体チャンバを作り出すことができる。この構成は、圧迫が、身体内の流体運動（例えば、血液、リンパ液等）を改善するのに必要な場合に、特に有用である。更に、線形溶接線４１６により、患者のふくらはぎの後部に加えられる張力を増大させることによって、患者のふくらはぎの後部に沿ってより良好な圧迫を可能にする。この増大した張力は、静脈流を増大させるように、より有効なふくらはぎ圧迫を生成することができる。ふくらはぎの後部に沿って横方向に配置された線形溶接線４１６は、治療用圧迫装置４００の膨張プロファイルを小型に保つ波状部分を作り出し、それは、患者の歩行移動性を更に高め、患者の衣類との干渉を低減することができる。副ラップ４０４はまた、ブラダ４０２なしの弾性被服から作製することもできる。
【０１３９】
患者の身体部分又は肢部上に配置された治療用圧迫装置の位置に応じて、異なる圧力勾配が利用され得ることを理解されたい。他のブラダ圧力勾配プロファイルの例が、米国特許出願第１２／９１１，５６３号及び米国特許出願第１２／８５５，１８５号に記載されており、それらの開示は、参照によりその全体が本明細書に組み込まれる。
【０１４０】
ひとたび治療用圧迫装置４００が、例えば下腿などの患者の肢部の周囲に固定されると、ブラダ４０２は、その場所から移動することができないため、快適性を高め、患者上の組織への位置調整を低減する。患者による容易な歩行性を高めるため、典型的な実施形態では、足首クッション４２６が、隣接するかかとポート４２０に取り付けられ、挟持点の発生を防止し、患者のアキレス腱への圧力を低減することができる。足首クッション４２６と組み合わせて、足首ストラップ４２２を使用することができる。典型的な実施形態では、足首ストラップ４２２は、下腿ラップ４０３の下部、及び副ラップ４０４の上部における挟持点を防止する非弾性発泡体を含むことができる。足首ストラップ４２２を設けることに対する更なる利点は、足首ストラップ４２２直近のブラダ４０２が、患者の脚部に対してぴったりと付き、患者のかかと近くの圧迫を改善することである。足首ストラップ４２２は、面ファスナ４２４を貼り付ける前に患者の足首及び足部の周囲に巻き付けられ、好都合である。快適性を改善するため、スルーホール４１８は、図２９からわかるように、治療用圧迫装置４００全体にわたって配置され、治療用圧迫装置４００が膨張した状態での着用の間、患者の脚部の周りの通気を可能にする。明確にするため、必ずしもすべてのスルーホール４１８が、図中の参照文字で識別されているわけではない。
【０１４１】
典型的な実施形態によれば、内側シート４０６は、第１の弾性率を有する層（図示せず）を更に含み、内側シート４０６は、第２の弾性率を有する。第１の弾性率は、脚部圧迫ブラダが膨張したときに、脚部の周囲に治療用圧迫装置４００を巻き付けている、治療用圧迫装置４００の近位側及び遠位端部分に対して横断方向の第２の弾性率よりも小さい。典型的な実施形態では、内側シート４０６は、使用時に下腿と直接接触するように、その内側表面上に配設された副シート（図示せず）を含む。副シートは、布地層とすることができ、この層は、脚部圧迫ブラダが膨張したときに脚部の周囲でラップ部材が丸まるように、第１の方向には弾性的であり、第２の方向には非弾性的である。
【０１４２】
別の典型的な実施形態では、上部脚部ストラップ４２８は、患者のふくらはぎの最も広い部分の上方にブラダ４０２の一部分を配置することによって、治療用圧迫装置４００の着用適合性を改善するように構成及び適合されており、治療用圧迫装置４００が、ふくらはぎ圧迫を提供する際に、治療用圧迫装置４００を無効にすることになる、患者の下腿を滑り落ちるのを防止することによって、治療用圧迫装置４００の安定性を提供する。
【０１４３】
本発明の様々な実施形態の各々の場合の膨張手段又は機構は、手押しポンプ、電動ポンプ、電池式ポンプ、遠隔制御ポンプ、空気ポンプ、ガスポンプ、又は任意の他の既知の膨張手段を含んでもよい。ブラダ内の特定圧力を提供し、したがって患者によって使用時に圧迫を提供するように、いくつかの又は様々な膨張手段、例えば、手動ポンプ、手押しポンプ、足踏み式ポンプ、機械式ポンプ、電動ポンプ、電池式ポンプ、静的ポンプ、間欠ポンプ、可変ポンプ、自動ポンプ、空気圧ポンプ、負圧ポンプ、吸引ポンプ若しくは真空、パルスポンプ、又は任意の他の既知若しくは先進膨張源が、使用され得る。図３０Ａ及び３０Ｂは、本発明で使用される様々な弁を含む。更に、膨張手段は、膨張を監視又は調節するための手段を含むことができる。この膨張手段は、圧迫装置が患者に着用されて使用中の場合、昼夜にわたって様々な期間で設定された圧力に、又は設定された時間に、ブラダが膨張及び収縮されるようなプログラミングを含むことができる。例えば、単なる例として、膨張手段は、個別の各患者に対して昼夜全体にわたって、午前９時に４０ｍｍＨｇに設定され、次いで、午前１１時に２０ｍｍＨｇに収縮するように設定され、次いで午後１２時に３０ｍｍＨｇに膨張する等のように設定されることができる。本発明の一実施形態では、ダイヤル６１０は、「３５」、「４５」、「５５」、及び「６５」などの圧力量の図形、又はそれぞれが、２５ｍｍＨｇ、３５ｍｍＨｇ、４５ｍｍＨｇ、及び５５ｍｍＨｇなどの特定の圧力に対応する「Ａ」、「Ｂ」、「Ｃ」、「Ｄ」などの字体を含む。図形に対応する具体的な所定の圧力は、無限であり、本明細書の例に限定されない。
【０１４４】
更に、治療用圧迫装置は、弁帽により収縮され得、又は別の実施形態では、主及び／又は副ブラダを収縮し、したがって圧力を解放するためのボタン又はスイッチを有する。主ラップ及び副ラップの両方の長さを走る１つのブラダが存在する場合の任意の実施形態では、用語「主ラップ及び／又は副ラップ」は、唯一の主ブラダ又は圧迫ブラダ（４０２）を意味するものとする。図３１Ａ〜３１Ｃ、及び３５に示すように、別の実施形態では、スイッチが、複数の一体化された傘弁を有することができ、すなわち、１つの傘弁は、主及び／又は副ブラダ内の圧力を維持するように設定及び閉鎖され、これに対して、第２の傘弁は、患者が歩行している（一歩ごとにふくらはぎ上で圧力が上昇する）、又は飛行している（圧力が高度に基づいて上昇する）などの間に、圧力を解放するように、主及び／又は副ブラダ内の空気又は流体の特定量を解放し、第３の傘弁は、主及び／又は副ブラダ内のすべての空気又は流体を解放し、したがってすべての圧力を解放し、治療用圧迫装置を収縮させる。例えば、単なる例として、第１の傘弁は、作動時に、この傘弁が主及び／又は副ブラダ内の空気又は流体の量を維持し、したがって設定圧力、例えば４５ｍｍＨｇにおいて維持するように閉鎖位置に設定され、第２の傘弁は、主及び／又は副ブラダ内の圧力が４５ｍｍＨｇを超過する場合、主及び／又は副ブラダ内の空気又は流体を解放し、圧力を４５ｍｍＨｇに戻し（高高度に居る場合、又は他の圧力増大の場合など）、次いで圧力を４５ｍｍＨｇに維持するように設定され、第３の傘弁は、患者が主及び／又は副ブラダ、並びに治療用圧迫装置を収縮させるように作動する場合、主及び／又は副ブラダ内のすべての空気又は流体を開放及び解放し、したがってすべての圧力を解放するように設定される。別の例として、ダイヤルは、（Ａ）「歩行」では、傘弁が閉鎖位置のままにあるため、患者が歩行している間、圧力が一定の間隔で高低を何回も繰り返す間、設定された圧力量が維持され、（Ｂ）次いで、「空気」という図形では、設定された圧力量は、圧力が、設定された量又は値を越えて増大したときに、時折圧力を解放するこの傘弁によって維持され、すなわち、傘弁が作動して主及び／又は副ブラダ内の空気又は流体を解放し、更に圧力を解放し、次いで閉鎖し、そして閉鎖し続け、設定された圧力量を維持し、（Ｃ）「解放」又は「収縮」では、圧力は、解放され、主及び／又は副ブラダ内の空気又は流体が解放されて収縮し、この傘弁は、常に開放位置にある、などの図形を含むことができる。この実施形態では、以下を有する３つの傘弁があり、すなわち、１つは、主及び／又は副ブラダを常に開放し、完全に圧力を解放するように設定され、１つは、常に閉鎖して主及び／又は副ブラダ内の空気又は流体を維持して圧力を維持するように設定され、そして３つ目は、所定の又は設定された圧力点において開放又は解放するように設定され、傘弁を参照するすべての実施形態において、傘弁はまた、スイッチ（手動又はそれ以外の方法）若しくはデジタルスイッチ、又はブラダ内の空気又は流体を開放、閉鎖、又は部分解放し、それによって内部の圧力を維持、変更、又は解放するための任意の他の既知の手段であってもよい。
【０１４５】
図３０Ａ及び図３０Ｂに示す膨張手段及び弁は、空気が圧迫装置中に流れることが可能であるように圧迫装置に溶接されるエルボーコネクタ５１０を有する膨張ポートを含む。逆止弁又は安全弁が、エルボーコネクタ５１０中に挿入されている。ダストキャップ５２０又は弁帽は、ダストが逆止弁を詰まらせるのを防止するために含められ、逆の構成で挿入される場合、膨張したブラダが手動で収縮される。これは、ばねが装備されているため、膨張手段がブラダを膨張させ、ひとたび膨張手段が取り除かれると、ばねはブラダを封止し、その結果、圧力は、手動又は自動で減少又は収縮させるまで解放されない。逆止弁はまた、非ばね作動としてもよく、任意の他の手段によって作動してもよい。膨張手段は、球式、電動式、電池駆動式、又は電気式手段を含んでもよい。膨張手段は、図で示したダイヤル、若しくはより単純なダイヤル、又は１つの弁を含んでもよい。更なる実施形態が図３１〜３８に示されている。
【０１４６】
図３１Ａ及び３１Ｂ及び３１Ｃに示す膨張手段７００は、手押しポンプ７００を含む。この膨張手段６００は、弁ダイヤル６１４を含むポンプアセンブリに接続されたチューブ６９０を含み、この実施形態では、３つの傘弁６１６、並びに使用者が使用し、治療用圧迫装置１０、１００、２００、３００、又は４００の様々な圧力量を見ることができるラベル６１２を含む。弁ダイヤル６１４は、弁、ベース６２０により手押しポンプ球７００に接続されている。手押しポンプ球７００は、圧搾球、又は任意の他の既知の手押しポンプ又はボールであってもよい。図３１Ｂに示すように、これは、図３１Ａの断面図であり、弁ダイヤル６１４は、使用者が圧迫装置を過剰膨張させず、使用者自身に被害を起こさせないようにする安全コンポーネントである逆止弁６３０を含んでもよい。逆止弁６３０は、例えば、単なる例として、接着剤６４０などの任意の既知の手段を介して弁ベース６２０に結合されてもよい。弁ダイヤル６１４は、単なる例として、Ｏリング６５０、及びＯリング６５０に適用されるグリース６６０などの潤滑油を更に含んでもよい。更に、弁ダイヤル６１４は、打ち込みねじ６７０及びワッシャ６８０を含んでもよい。膨張手段６００は、図３１Ｃに示すように、戻り止めばね６５５、及び戻り止めボール６５６を更に含んでよい。戻り止めばね６５５、及び戻り止めボール６５６は、可聴式「クリック」を有し、使用者が圧力が変化しているのを知るための触覚式及び可聴式な方法を提供する。
【０１４７】
膨張手段の別の実施形態が、図３２Ａ及び３２Ｂ、３３及び３４に示されている。膨張手段８１０は、チューブ８１１及びダイヤル８１８を含む。ダイヤル８１８は、モノメータ型であり、指針は、球７００を介する圧力に基づいて回転移動する。ダイヤル８１８は、使用者が圧迫装置を過剰膨張することができないように逆止弁８３０に接続されている。ダイヤル８１８は、任意の既知の継手手段を介してチューブ８１１及び逆止弁８３０に接続され、この実施形態では、単なる例として、ｔ−コネクタ８２０として示されている。
【０１４８】
膨張手段（図示せず）の別の実施形態が、プランジャアセンブリを含む。このプランジャアセンブリは、傘弁（図３１Ａに示した傘弁６１６と同様の）を含む。傘弁は、ばね孔からの空気漏れを防止するためにスロット中に組み立てられたＯリングを含む。プランジャアセンブリは、ダイヤル６１８又はダイヤル弁６１０内の緩衝圧力を制御するように、所定の高さを有する。プランジャアセンブリは、空気圧力が傘弁自体にアクセスできるようにする少なくとも１つ又は複数の緩衝用スロットを更に含む。
【０１４９】
図３４は、膨張手段の別の実施形態の断面図であり、ダイヤル６１０は、傘弁９１０が伸張し、様々な緩衝圧力を有するようにインクリメント変化する凹部９３０を含む。ポインタ９２０が、この実施形態に含まれ、ばね荷重に抵抗し、ダイヤル６１０を正確な高さに押さえ付ける。圧縮ばね９１０は、膨張手段９００内で弁保持器を上方に駆動する。ダイヤル６１０は、スライド９４０の上方に位置するポインタ９２０を有する。圧縮ばね９１０及びＯリング９９０は、スライド９４０に沿って配置されている。傘弁１０は、スライド９４０の下方で接続されている。膨張手段は、ワッシャ９５０及びねじ伝動９６０を更に含む。また、逆止弁９８０及び弁ベース９８０も示されている。球７００の遠位端もまた、示されている。
【０１５０】
膨張手段１０００の別の実施形態が、図３５に示され、戻り止めボール１０１０及び戻り止めばね１０２０の下方に有するダイヤル１０５０を含む。戻り止めボール１０１０及び戻り止めばね１０２０は、使用者が圧力変化を知るための可聴式及び触覚式方法として動作する。挿入先端部１０３０は、チューブ６９０に結合されるように示されている。この実施形態では、３つの傘弁が、以下のように設定され得、１つは、常に開放位置にあり、主及び／又は副ブラダ内の空気又は流体を解放し、したがってブラダの収縮位置に向けて圧力を解放し、第２の傘弁は、主及び／又は副ブラダ内の空気又は流体を維持し、圧力を維持するように、閉鎖位置に設定されることができ、第３の傘弁は、設定された圧力量又は値にあり、圧力が増大するにつれて、傘弁は、過剰な圧力を開放及び解放することによって、傘弁は閉鎖し、設定された圧力量又は値を維持する。
【０１５１】
膨張手段１１００の別の実施形態が、図３６に示されている。ダイヤル１１１０は、使用者が、使用中に圧力量を視覚化するためのラベル１１２０を含む。ダイヤル１６１０は、少なくとも１つ、この実施形態では、２つ又は３つの傘弁１１４０として示された断面図を更に含む。この実施形態では、３つの傘弁が、以下のように設定され得、１つは、常に開放位置にあり、主及び／又は副ブラダ内の空気又は流体を解放し、したがってブラダの収縮位置に向けて圧力を解放し、第２の傘弁は、主及び／又は副ブラダ内の空気又は流体を維持し、圧力を維持するように、閉鎖位置に設定されることができ、第３の傘弁は、設定された圧力量又は値にあり、圧力が増大するにつれて、傘弁は、過剰な圧力を開放及び解放することによって、傘弁は閉鎖し、設定された圧力量又は値を維持する。駆動ねじ１１５０及びワッシャ１１６０が、更に含まれている。Ｏリング１１７０が含まれ、グリース１１８０を介して潤滑されている。弁本体１１３０は、任意の既知の接続又は結合手段を介して接続球７００に結合され、この実施形態では、単なる例として、接着剤１１９０である。逆止ハウジング１２２０は、逆止弁及びシリコンディスク１２１０を含む。
【０１５２】
本発明の別の実施形態では、圧迫装置は、独立型の大腿部圧迫、又は様々な他の開示された実施形態の脚部及び足部圧迫装置に加えられる大腿部圧迫部であってもよい。大腿部圧迫装置は、内側層及び外側層を含む。外側層は、膨張手段に接続又は結合することができる膨張ポートを大腿部圧迫装置に結合している。内側層は、複数の締結具を含む。一実施形態では、大腿部圧迫装置は、単なる例として、患者の大腿部上での調節を容易にし、治療用圧迫装置を固定するためのエッジに沿った面ファスナを備える。大腿部圧迫装置の他の用途は、背、ふくらはぎ、腕、胃、胴、肩、及び他の身体部分上などで使用することができるため、「大腿部」圧迫装置としての指定は、患者の大腿部上でのそのような装置の使用のみに限定されない。圧迫装置はまた、ジッパー、ボタン、又は他のそのような好適な手段により成形されたカフスなどの他の手段によって患者の大腿部又は他の身体部分に固定され得ることが想定される。
【０１５３】
図３７及び図３８は、患者の腕部上に使用されるように構成されている圧迫装置を伴う本発明の更なる別の実施形態を示す。この腕部圧迫装置１３００は、層１３１０、及び膨張手段に接続又は結合することができる膨張ポート１３０５を含む。外側層１３１０は、患者の親指１３９５及び指１３９０の周囲を締結することができる複数の締結具１３２４を含む。一実施形態では、大腿部圧迫装置１３００は、単なる例として、患者の腕部上で調節を容易にし、治療用圧迫装置１３００を固定するためのエッジに沿った面ファスナ１３２４を含む。腕部圧迫装置１３００の他の用途は、背、肩、胴、ふくらはぎ、腕、胃、及び他の身体部分の上などで使用することができるため、「腕部」圧迫装置としての指定は、患者の腕部上でのそのような装置１３００の使用のみに限定されない。圧迫装置１３００はまた、ジッパー、ボタン、又は他のそのような好適な手段により成形されたカフスなどの他の手段によって患者の腕部又は他の身体部分に固定され得ることが想定される。快適性を改善するために、図３８からわかるように、スルーホール１３１３は、圧迫装置１３００全体にわたって配置され、圧迫装置１３００の幅を広げた着用の間、患者の腕部、又は他の身体部分の周囲の通気を可能にする。明確にするため、必ずしもすべてのスルーホール１３１３が、図中の参照文字で識別されているわけではない。圧迫装置１３００は、図３７に示すように、患者の肘部の周囲に使用するための部分１３３０を含んでもよく、開口部を含んでもよい。別の実施形態では、図３８に示すように、２つのより小さい圧迫装置（図２９Ａの装置と比較して）は、複数のタブ１４０５を有する患者の下腕部及び上腕部上で使用され、そのタブは、面止め具若しくはＶＥＬＣＲＯ（登録商標）、又はバックル、ストラップ、ボタン、スナップ、ジッパー、及びそれらの組み合わせなどの任意の他の既知の接続手段を介するなどして互いに接続することができる。図３８に示すように、少なくとも２つの治療用圧迫装置１４００は、膨張手段を接続又は結合することができ、タブ１４０５を介して互いに接続することができる。外側層１４１０は、患者の親指１４９５及び指の周囲に締結することができる複数の締結具１４２４を含む。他の構成を使用して、患者は、圧力及び圧迫を、脚、腕、手首、手、肩、腰、胴、胸等の一部に加えることができる。
【０１５４】
本発明の治療用圧迫装置は、様々な創傷ドレッシング材及び／又は包帯を有する道具箱内に収容することができる。創傷ドレッシング材及び／又は包帯は、より頻繁に配設されてもよく、本発明の治療用圧迫装置は、創傷ドレッシング材及び／又は包帯と併用又は組み合わせて適用される。一実施形態では、治療用圧迫装置は、皮膚に適用される創傷ドレッシング材の上方又は上に使用される。
【０１５５】
発明の別の実施形態は、フィードバックを伴う測定された圧迫量を適用する方法を含む。図３９に示すように、圧迫ブラダＡは、膨張源Ｃにより膨張し、圧迫ブラダＡの性質は、圧迫の量が、ＣからＡに圧送させる膨張媒体（通常は空気）の量によって決定されることである。この設計では、膨張源Ｃはまた、一定容積の空気を有するブラダＢと結合される。圧迫ブラダＡが膨張すると、それが被圧迫項目Ｆを圧迫するとき、ブラダＢを圧搾するであろう。膨張源Ｃは、結合線Ｅからの直線圧力を読み込み、この設計におけるブラダＢから境界圧力を算出することができる。膨張源Ｃは、較正され、ブラダＢからの所望の境界圧力を適合させることによって算出されたように、圧迫ブラダＡに必要な膨張媒体の量のみを提供することができる。膨張手段及び圧迫装置からのフィードバックを得ることができるように、他の構成が使用されてもよい。
【０１５６】
本発明の別の実施形態は、単一チャンバとの連続勾配圧迫を含む。図４０に示すように、圧迫装置は、勾配圧迫だけでなく連続（最初に足部を充填し、そのように上方に向ける）圧迫を適用する膨張ブラダを含む。この実施形態では、図４０に示すように、膨張デバイスＡは、２箇所（吸入ポートＣ及び排出ポートＤ）のデバイスに結合される。チャネルＢに直接進む空気を膨張及び提供することによって、足部ブラダ部分Ｅが主ブラダＦより前に最初に膨張する。次いで、空気が排出ポートＤから排出する。この設計では、膨張が、勾配及び連続圧迫のために断続的に結合されることができ、又は、膨張が、一定のレベルで保持され、単に勾配プロファイルのみを提供することができる。
【０１５７】
本発明の別の実施形態は、電気式又は他の自動化された膨張手段を含み、ブラダは、設定容積に膨張されるか、又は内部に充填されている背圧を読み取ることによって膨張する。圧力サイクル機能が含まれてもよい。更に、実施形態は、膨張手段が取り外された後も膨張がブラダ（複数可）内で維持するような膨張手段を有してもよい。そのような膨張手段は、圧迫装置自体に一体化されてもよく、又は取り外し可能であってもよい。このような膨張手段は、使用法、圧力、内科医若しくはそのような患者の治療計画の一部により推奨された特定の圧力を維持することに関して患者による順守、並びに立位時の圧力及び移動若しくは活動時の圧力、歩数計（歩数）、心拍、血圧、及び患者の任意の他の可能なモニタリングなどの他の健康データを追跡するための集積回路及び／又は無線能力を含んでもよい。得られされたフィードバックに応じて、膨張手段は、患者が手動で変更することなく圧力を増加又は減少させるようにプログラムされてもよい。更に、膨張手段は、内科医又は他の治療専門家がそのフィードバックに基づいて圧力を遠隔操作で増加又は減少させることができるように構成されてもよい。自動化された手段又は電気的手段若しくはデジタル式手段を組み合わせて手動でダイヤル若しくは膨張手段を変更するなどの他の組み合わせが、含まれてもよい。
【０１５８】
図示されたダイヤルは、限定されない単なる例としての非デジタル式であるが、デジタル式手段もまた、使用されてもよい。電動式ポンプ及びデジタル式ディスプレイが使用されてもよい。弁は、設定されたレート若しくは間隔で、又はモニタリング手段からのフィードバックに基づいて、圧力を変化又は修正するためのデジタル式又は電気的手段を含んでもよい。その装置は、様々なセンサ及びモニタを含んでもよい。
【０１５９】
使用中、治療用圧迫装置１０、１００、２００、３００、又は、４００は、例えば、ふくらはぎ及び足部上の下腿などの選択された肢部上の患者、診療医、介護者のそばに置かれてもよく、又は足部ラップは、患者の足部の周囲に締結されている。足首のための開口部は、患者によって快適性のために設定される。足部から上方位置に移動させて、患者、診療医、介護者は、締結タブ（３２ａ、３２ｂ、３２ｃ、３２ｄ、及び４２４等）を膝まで締結又は固定する。主ブラダ又はふくらはぎ若しくは脚部ブラダ（膝に近い）の近位端上に配置された追加のストラップが存在する場合、第１のストラップは、治療用圧迫装置がぴたりと適合するようにきつく、ただしあまりきつ過ぎないように締め付け又は固定される必要があり、副ラップ（足部に近い）の遠位端近くの第２のストラップは、治療用圧迫装置がぴたりと適合するように緩く、ただしあまりきつ過ぎないように締め付け又は固定される必要がある。次いで、患者、診療医、又は介護者は、例えば主ラップ上などの治療用圧迫装置上に配置された弁から弁帽を取り除く。次いで、患者、診療医、又は介護者は、治療、及び患者が歩き、座り、横たわり、又は車両、列車、若しくは飛行機内で旅行しているかどうかに応じて、膨張手段のダイヤル上の値の圧力量を選択する。ひとたび圧力の量又は値が、ダイヤル上で選択されると（「３５」ｍｍＨｇなどの所与の圧力量、又は「歩行」若しくは「空気」若しくは「移動」、又は「低」若しくは「中」若しくは「高Ｈｉｇｈ」等の文字など）、対応する傘弁又はスイッチが作動して、圧力が、その後維持され（閉鎖位置）、又は使用時に圧力が活動又は高度と共に変化するときに、圧力を維持するように修正される。次いで、患者、診療医又は介護者は、膨張手段の端部を治療用圧迫装置の弁の中に挿入すると、空気又は流体が増大して主及び／又は副ブラダを膨張させ、したがって所望の圧力量又は弁を達成する。この場合も、この膨張手段は、手押しポンプ、電気式ポンプ、電池式ポンプ、遠隔制御ポンプ、空気ポンプ、ガスポンプ、又は任意の他の既知の膨張手段としてもよい。ブラダ内の特定圧力を提供し、したがって患者によって使用時に圧迫を提供するように、いくつかの又は様々な膨張手段、例えば、手動ポンプ、手押しポンプ、足踏み式ポンプ、機械式ポンプ、電動ポンプ、電池式ポンプ、静的ポンプ、間欠ポンプ、可変ポンプ、自動ポンプ、空気圧ポンプ、負圧ポンプ、吸引ポンプ若しくは真空、パルスポンプ、又は任意の他の既知若しくは先進膨張源が、使用され得る。使用される膨張手段に応じて、そのような膨張手段が取り除かれることがあり、弁帽が交換されることができ、圧力は、「空気」又は「歩行」位置に留意することを除いて、減少しないであろう。使用中の任意の時点で、患者、診療医、若しくは介護者は、弁帽を挿入するか、若しくは弁帽が弁ばねを押圧することにより、主及び／又は副ブラダ内の空気又は流体を解放し、圧力を減少させるかのいずれかによって、主及び／又は副ブラダを膨張させることができ、又は患者、診療医、若しくは介護者は、膨張手段を再挿入し、「収縮」又は「解放」を選択することができ、対応する傘弁は、開放位置になって主及び／又は副ブラダ内の空気又は流体を解放し、収縮した状態がブラダ及び治療用圧迫装置に対して達成されるまで、圧力を減少させることができる。治療用圧迫装置は、使用時に、何回も何回も再膨張及び収縮することができる。
【０１６０】
本発明は、その特定の実施形態に関して例示及び説明されており、その実施形態は、本発明の原理に関する典型的及び例示的なものであり、排他的又は他の方法で実施形態を限定することを意図していない。例えば、前述の実施形態では、治療用圧迫装置が、膨張可能なブラダを有するものとして記載されているが、その治療用圧迫装置は、膨張及び／又は収縮のために構成されていない圧迫部材を（例えば、接着剤、高周波溶接等により）追加的に一体形成又は取り付けることを含んでもよい。例えば、追加の圧迫部材は、発泡体クッション、及び／又は空気、ゲル、若しくは他の流体充填非膨張可能なクッションなどの様々な任意の予成形及び／又は予充填クッション材料を使って実現されてもよく、そのような圧迫部材が一体型圧迫ブラダと組み合わせて十分な圧迫を生成されてもよい。更に、具体的な形状、サイズ、及び材料が、例示の目的で記載されているが、任意の様々な形状又はサイズを使用することができ、記載された材料は、排他的ではなく、単なる例示的なものであることを理解されたい。また、上述したように、図示されたブラダは、空気を使って膨張しているが、液体又はゲルなどの任意の他の媒体を使用することができることを理解されたい。更にまた、上述したように、ブラダは、複数の空気圧式独立型、及び／又は空気圧式結合型ブラダ部分を有するように構成されてもよく、また、様々な輪郭又は分葉を有するように構成されてもよいことを理解されたい。
【０１６１】
本明細書に記載された治療用圧迫装置は、圧迫療法等により治療可能な任意の好適な状態に使用することができる。例えば、本発明による治療用圧迫装置は、静脈潰瘍、ＣＶＩ、ＤＶＴの治療、リンパ浮腫の治療（そこでは、それは、促進される静脈系内ではなく、リンパ系内の流体の循環である）等のための静脈系の圧迫に使用することができる。
【０１６２】
本明細書に記載された本発明の治療用圧迫装置は、従来技術に伴う、並びに産業及び患者の治療における多くの問題を解決する。治療用圧迫装置は、現在のデバイス及び装置によって必要とされる熟練した介護者を必要とせず又は要求せずに、患者によって患者の身体部分に適用することができる。更に、それは、過圧合併症を伴わずに十分有効な圧力を維持し、圧迫などを維持することができる。
【０１６３】
本発明の治療用圧迫装置は、患者が、治療装置又はデバイスのための膨張源及び膨張手段の変更を通じて治療を変更することができるように、１つ超の圧迫源又は膨張手段に接続することができるように構成された汎用膨張ポートを含む。例えば、患者は、本発明の治療用圧迫装置を使って、手動、又は機械的若しくは電気的膨張手段、又は膨張及び圧力源の間を交互にすることができる。更に、患者は、本発明の治療用圧迫装置を使用するときに、静的又は断続的な膨張と圧力の間を交互にすることができる。
【０１６４】
本発明の治療用圧迫装置はまた、治療装置及びデバイス、ドレッシング材、ストッキング、及び靴下内の設定圧力の漏れである課題を低減し、逆に、ＣＶＩ、ＤＶＴ、及び／又はリンパ浮腫、並びに他の治療に対してより効果的な治療を促進する。
【０１６５】
本明細書に記載されているように、本開示の発明は、好ましく典型的な実施形態に関して説明されてきたが、当業者は、本発明の趣旨又は範囲から逸脱することなく、本発明に対して様々な変更及び／又は修正を行うことができることを容易に理解するであろう。本明細書では、断続的な圧力装置のいくつかの実施形態、並びに設定方法及び同じく動作方法に付いて説明及び例示されている。本発明の具体的な実施形態が説明されているが、本発明がそれらに限定されることを意図されておらず、本発明は、当技術分野が許容する範囲と同じ広さであり、明細書は同様に読み取られることを意図されている。したがって、膨張可能なブラダ及びストラップの具体的な形状及びサイズが開示されているが、他の形状、サイズ、及び取り付け手段も同様に使用することができることを理解されたい。Ｖｅｌｃｒｏ及び接着手段は、ブラダを脚部及び足部に固定するのを助けるために開示されているが、フック、スナップ、又はラップなどの他の種類の取り付けを使用することができることを理解されたい。更に、流体導管は、嵌合ねじ部分又はバヨネットロックを使ってブラダに取り外し可能に接続されることができるが、当技術分野で既知の他の手段を使用することができることを理解されたい。したがって、当業者であれば、特許請求の範囲で主張されている趣旨及び範囲から逸脱することなく、提供された発明に対して、更なる他の修正が作成され得ることを理解されたい。
【図１】
2019526339.tif 000003
【図２Ａ】
2019526339.tif 000004
【図２Ｂ】
2019526339.tif 000005
【図３】
2019526339.tif 000006
【図４】
2019526339.tif 000007
【図５】
2019526339.tif 000008
【図６Ａ】
2019526339.tif 000009
【図６Ｂ】
2019526339.tif 000010
【図７】
2019526339.tif 000011
【図８】
2019526339.tif 000012
【図９】
2019526339.tif 000013
【図１０】
2019526339.tif 000014
【図１１】
2019526339.tif 000015
【図１２】
2019526339.tif 000016
【図１３】
2019526339.tif 000017
【図１４】
2019526339.tif 000018
【図１５】
2019526339.tif 000019
【図１６】
2019526339.tif 000020
【図１７】
2019526339.tif 000021
【図１８】
2019526339.tif 000022
【図１９】
2019526339.tif 000023
【図２０Ａ】
2019526339.tif 000024
【図２０Ｂ】
2019526339.tif 000025
【図２１Ａ】
2019526339.tif 000026
【図２１Ｂ】
2019526339.tif 000027
【図２２】
2019526339.tif 000028
【図２３Ａ】
2019526339.tif 000029
【図２３Ｂ】
2019526339.tif 000030
【図２４】
2019526339.tif 000031
【図２５Ａ】
2019526339.tif 000032
【図２５Ｂ】
2019526339.tif 000033
【図２５Ｃ】
2019526339.tif 000034
【図２６】
2019526339.tif 000035
【図２７】
2019526339.tif 000036
【図２８Ａ】
2019526339.tif 000037
【図２８Ｂ】
2019526339.tif 000038
【図２９Ａ】
2019526339.tif 000039
【図２９Ｂ】
2019526339.tif 000040
【図３０Ａ】
2019526339.tif 000041
【図３０Ｂ】
2019526339.tif 000042
【図３１Ａ】
2019526339.tif 000043
【図３１Ｂ】
2019526339.tif 000044
【図３１Ｃ】
2019526339.tif 000045
【図３２Ａ】
2019526339.tif 000046
【図３２Ｂ】
2019526339.tif 000047
【図３３】
2019526339.tif 000048
【図３４】
2019526339.tif 000049
【図３５】
2019526339.tif 000050
【図３６】
2019526339.tif 000051
【図３７】
2019526339.tif 000052
【図３８】
2019526339.tif 000053
【図３９】
2019526339.tif 000054
【図４０】
2019526339.tif 000055
【国際調査報告】
2019526339.tif 000056
2019526339.tif 000057
2019526339.tif 000058
2019526339.tif 000059